(57)【要約】【課題】排水性能を向上できる屋根構造体を提供すること。【解決手段】柱材２と、柱材２に接続される梁３と、梁３に接続される屋根体４であって、梁３が延びる方向に交差する方向に延びると共に梁３が延びる方向に並んで連設される複数の長尺材４１を有し、上面４ａが平面状に形成され、長尺材４１の長手方向の一方側から他方側に向かうに従って下るように傾斜する屋根体４と、屋根体４の傾斜方向の下流側に配置される下流側樋構造７１と、屋根体４における長尺材４１が並ぶ方向の端部側に配置される端部側樋構造４０と、を備える。【選択図】図４
2019027027.tif 000002
【特許請求の範囲】
【請求項１】
柱材と、
前記柱材に接続される梁と、
前記梁に接続される屋根体であって、前記梁が延びる方向に交差する方向に延びると共に前記梁が延びる方向に並んで連設される複数の長尺材を有し、上面が平面状に形成され、前記長尺材の長手方向の一方側から他方側に向かうに従って下るように傾斜する屋根体と、
前記屋根体の傾斜方向の下流側に配置される下流側樋構造と、
前記屋根体における前記長尺材が並ぶ方向の端部側に配置される端部側樋構造と、を備える屋根構造体。
【請求項２】
前記下流側樋構造は、平面視で、前記屋根体の傾斜方向の下流側に向かうに従って前記梁が延びる方向の中央側から両端部側に向かうように傾斜するＶ字状のＶ字ガイド部である請求項１に記載の屋根構造体。
【請求項３】
前記屋根体は、前記梁の下方において前記梁に吊られて配置され、
前記梁と屋根体との間に形成され前記長尺材の長手方向に貫通する貫通部を備える請求項１又は２に記載の屋根構造体。
【請求項４】
前記端部側樋構造は、前記長尺材と並列に配置され、
前記端部側樋構造は、前記屋根体の傾斜方向と逆方向に傾斜する逆勾配部を有する請求項１から３のいずれかに記載の屋根構造体。
【請求項５】
前記端部側樋構造は、前記下流側樋構造から前記柱材まで延びて形成され、前記柱材に設けられた柱材側樋構造に接続されている請求項１から４のいずれかに記載の屋根構造体。
【請求項６】
前記屋根体は、前記梁が延びる方向の中央から両端部に向かうに従って下るように傾斜する請求項１から５のいずれかに記載の屋根構造体。
【請求項７】
前記屋根体の傾斜方向の下流側の端部の下部に配置される水受け部を備える請求項１から６のいずれかに記載の屋根構造体。
【発明の詳細な説明】
【技術分野】
【０００１】
柱材と梁と屋根体とを備える屋根構造体に関する。
【背景技術】
【０００２】
従来、柱材と、柱材に接続される梁と、梁に接続される屋根体と、を備えるカーポート（屋根構造体）が知られている（例えば、特許文献１参照）。特許文献１に記載のカーポートの屋根体は、枠組みされたフレームと、フレームの内側に配置されたパネル材と、により構成されている。
【先行技術文献】
【特許文献】
【０００３】
【特許文献１】特開２０１３−２１３３２０号公報
【発明の概要】
【発明が解決しようとする課題】
【０００４】
カーポートなどの屋根構造体においては、屋根体の上面を流れる水をどのように排水するかは重要な課題である。そのため、排水性能を向上させることが求められる。
また、特許文献１に記載のカーポートの屋根体は、フレームとパネル材とで構成しているため、フレーム及びパネル材の凹凸が、外部から視認される状態である。そのため、意匠性を向上させることが望まれる。
【０００５】
本発明は、意匠性を向上させることができると共に、排水性能を向上できる屋根構造体を提供することを目的とする。
【課題を解決するための手段】
【０００６】
本発明は、柱材（例えば、後述の支柱２）と、前記柱材に接続される梁（例えば、後述の梁３）と、前記梁に接続される屋根体（例えば、後述の屋根体４）であって、前記梁が延びる方向に交差する方向に延びると共に前記梁が延びる方向に並んで連設される複数の長尺材（例えば、後述の長尺形材４１）を有し、上面（例えば、後述の上面４ａ）が平面状に形成され、前記長尺材の長手方向の一方側から他方側に向かうに従って下るように傾斜する屋根体と、前記屋根体の傾斜方向の下流側に配置される下流側樋構造（例えば、後述のＶ字ガイド部７１）と、前記屋根体における前記長尺材が並ぶ方向の端部側に配置される端部側樋構造（例えば、後述の屋根体端部側樋構成部４０、下方側樋構造４６）と、を備える屋根構造体（例えば、後述のカーポート１）に関する。
【０００７】
また、前記下流側樋構造は、平面視で、前記屋根体の傾斜方向の下流側に向かうに従って前記梁が延びる方向の中央側から両端部側に向かうように傾斜するＶ字状のＶ字ガイド部（例えば、後述のＶ字ガイド部７１）であることが好ましい。
【０００８】
また、前記屋根体は、前記梁の下方において前記梁に吊られて配置され、前記梁と屋根体との間に形成され前記長尺材の長手方向に貫通する貫通部（例えば、後述の切り欠き開口５４）を備えることが好ましい。
【０００９】
また、前記端部側樋構造は、前記長尺材と並列に配置され、前記端部側樋構造は、前記屋根体の傾斜方向と逆方向に傾斜する逆勾配部（例えば、後述の逆勾配部７２）を有することが好ましい。
【００１０】
また、前記端部側樋構造は、前記下流側樋構造から前記柱材まで延びて形成され、前記柱材に設けられた柱材側樋構造（例えば、後述の支柱側樋構成部２０）に接続されていることが好ましい。
【００１１】
また、前記屋根体は、前記梁が延びる方向の中央から両端部に向かうに従って下るように傾斜することが好ましい。
【００１２】
また、前記屋根体の傾斜方向の下流側の端部の下部に配置される水受け部（例えば、後述の水受け流路部８３）を備えることが好ましい。
【発明の効果】
【００１３】
本発明によれば、排水性能を向上できる屋根構造体を提供することができる。
【図面の簡単な説明】
【００１４】
【図１】本発明の第１実施形態に係るカーポートを上方側から見た斜視図である。
【図２】本発明の第１実施形態に係るカーポートを下方側から見た斜視図である。
【図３】屋根体の傾斜方向の下流側の端部側の構成を示す平面図である。
【図４】主に、Ｖ字ガイド部及び逆勾配部の構成を示す斜視図である。
【図５】図１におけるＡ−Ａ線断面図である。
【図６】屋根体の前後方向の傾斜及び逆勾配部の傾斜を示す図である。
【図７】屋根体の左右方向の傾斜を示す図である。
【図８】支柱、梁、屋根体及び連結部材の構成を示す部分拡大斜視図である。
【図９】図８の状態から梁カバー部材を取り外した状態を示す部分拡大斜視図である。
【図１０】屋根体の左右方向の端部における屋根体の高さ調整機構を示す断面図である。
【図１１】屋根体の左右方向の端部よりも中央側における屋根体の高さ調整機構を示す断面図である。
【図１２】連結部材の長手方向の各位置において高さ調整機構により屋根体の左右方向の高さを調整した具体例を示す図である。
【図１３】屋根体を構成する樋構成形材と中間形材との接続構造を示す断面図である。
【図１４】屋根体を構成する中間形材同士の接続構造を示す断面図である。
【図１５】誘導部材からフィルタ部材を取り外した状態を示す斜視図である。
【図１６】屋根体の前側の端部に配置される屋根体側部カバー部材を示す断面図である。
【図１７】屋根体の前側の端部における屋根体側部カバー部材及び連結端部止水部を示す斜視図である。
【図１８】屋根体の前側の端部における連結端部止水部を示す斜視図である。
【図１９】屋根体の前側の端部における連結端部止水部を示す側面図である。
【図２０】本発明の第２実施形態におけるカーポートであって、屋根体の傾斜方向の下流側の端部において下部に配置される水受け流路部の構成を示す斜視図である。
【図２１】本発明の第２実施形態におけるカーポートであって、屋根体の傾斜方向の下流側の端部において下部に配置される水受け流路部の構成を示す断面図である。
【図２２】本発明の第３実施形態におけるカーポートであって、連結部材に複数の開口穴が形成された場合を示す斜視図である。
【図２３】本発明の第４実施形態におけるカーポートであって、屋根体の傾斜方向の下流側に屋根体下流側樋構造を設けると共に、屋根体の下方に下方側樋構造を設けた場合を示す斜視図である。
【図２４】本発明の第４実施形態の変形形態のカーポートであって、第４実施形態の構成に屋根体端部側樋構成部を更に設けた場合を示す斜視図である。
【図２５】第１変形形態の片持ち構造のカーポートを示す模式図である。
【図２６】第２変形形態の片持ち構造のカーポートを示す模式図である。
【発明を実施するための形態】
【００１５】
［第１実施形態］
以下、本発明の屋根構造体の第１実施形態について、図面を参照しながら説明する。本実施形態においては、屋根構造体をカーポート１に適用した例について説明する。カーポート１は、屋根体４の下方に、１台又は複数台の自動車の駐車スペースが確保されている。なお、本実施形態においては、屋根構造体をカーポート１に適用した例について説明するが、これに限定されない。また、屋根構造体を、カーポート以外の構造物、例えば、駐輪場、シェルター、休憩所、テラス、バス停などの構造物に適用してもよい。
【００１６】
図１は、本発明の第１実施形態に係るカーポート１を上方側から見た斜視図である。図２は、本発明の第１実施形態に係るカーポート１を下方側から見た斜視図である。図３は、屋根体４の傾斜方向の下流側の端部側の構成を示す平面図である。図４は、主に、Ｖ字ガイド部７１及び逆勾配部７２の構成を示す斜視図である。図５は、図１におけるＡ−Ａ線断面図である。図６は、屋根体４の前後方向の傾斜及び逆勾配部７２の傾斜を示す図である。図７は、屋根体４の左右方向の傾斜を示す図である。図８は、支柱２、梁３、屋根体４及び連結部材５の構成を示す部分拡大斜視図である。図９は、図８の状態から梁カバー部材３２を取り外した状態を示す部分拡大斜視図である。図１０は、屋根体４の左右方向の端部における屋根体４の高さ調整機構を示す断面図である。図１１は、屋根体４の左右方向の端部よりも中央側における屋根体４の高さ調整機構を示す断面図である。図１２は、連結部材５の長手方向の各位置において高さ調整機構により屋根体４の左右方向の高さを調整した具体例を示す図である。図１３は、屋根体４を構成する樋構成形材４２と中間形材４３との接続構造を示す断面図である。図１４は、屋根体４を構成する中間形材４３同士の接続構造を示す断面図である。図１５は、誘導部材２６からフィルタ部材２８を取り外した状態を示す斜視図である。図１６は、屋根体４の前側の端部に配置される屋根体側部カバー部材８を示す断面図である。図１７は、屋根体４の前側の端部における屋根体側部カバー部材８及び連結端部止水部４８０を示す斜視図である。図１８は、屋根体４の前側の端部における連結端部止水部４８０を示す斜視図である。図１９は、屋根体４の前側の端部における連結端部止水部４８０を示す側面図である。
【００１７】
なお、本実施形態の説明においては、カーポート１の屋根体４を構成する複数の長尺形材（長尺材）４１が延びる方向を前後方向（長尺形材４１の長手方向）ともいう。また、図１において、カーポート１の左手前側を前側ともいい、カーポート１の右奥側を奥側ともいう。本実施形態においては、屋根体４の前後方向は、屋根体４が前後方向において傾斜しているため、傾斜方向ともいい、前側を下流側ともいい、後側を上流側ともいう。また、梁３が延びる方向であって、長尺形材（長尺材）４１が延びる前後方向に直交する方向を左右方向（長尺形材４１の長手方向に交差する方向）ともいう。
【００１８】
まず、本実施形態のカーポート１の全体構造について説明する。本実施形態のカーポート１は、図１〜図３に示すように、屋根体４を左右方向の両側それぞれにおいて一対の支柱２で支持する、いわゆる、両持ち構造のカーポートである。また、本実施形態のカーポート１は、支柱２に接続された梁３の下部（下方）に、連結部材５を介して、屋根体４が吊られて接続される吊構造で構成される。
【００１９】
図１〜図３に示すように、本実施形態のカーポート１は、地面１１に立設される２組の一対の支柱２（柱材）と、支柱２の上端部から支柱２に交差する方向に延びる２つの梁３と、２つの梁３の下方に配置され屋根体端部側樋構成部４０を有する屋根体４と、梁３と屋根体４とを接続する連結部材５と、屋根体４の前後方向の前側（傾斜方向の下流側）に配置されるＶ字ガイド部７１（下流側樋構造）と、屋根体端部側樋構成部４０に配置される逆勾配部７２と、を備える。支柱２及び梁３は、アルミ材料の押出し形材で形成され、断面が中空状の中空部を有するホロー構造を有する。
【００２０】
２組の支柱２（柱材）は、図１に示すように、一対の支柱２が前後方向に２組並んで配置される。一対の支柱２は、図３に示すように、カーポート１の左右方向の両側（図３における右側及び左側）に屋根体４を挟んで対向して配置され、梁３の左右方向の両端部に接続される。
【００２１】
２組の一対の支柱２は、図１に示すように、カーポート１の前後方向に離間して配置される。支柱２は、図３〜図５に示すように、上下方向に延びて形成される。支柱２は、図４及び図５に示すように、横断面が角筒状に形成される中空状の支柱側ホロー部２１と、支柱側ホロー部２１の屋根体４側の側面から屋根体４側に突出すると共に上下方向に延びる一対のカバー取付壁２２と、を有する。一対のカバー取付壁２２には、支柱カバー部材２３が取り付けられる。支柱２の上端部には、支柱２の上端部の開口を覆うように、支柱キャップ２４が配置される。
【００２２】
支柱２と支柱カバー部材２３との間には、図５に示すように、屋根体４の屋根体端部側樋構成部４０（後述）から排出された水が流される。支柱２と支柱カバー部材２３との間には屋根体４の屋根体端部側樋構成部４０（後述）から排出された水が流入して水が流れるため、支柱２及び支柱カバー部材２３は支柱側樋構成部２０（柱材側樋構造）として構成される。本実施形態においては、支柱２と支柱カバー部材２３との間に雨樋用のホースなどが配置されずに、支柱２及び支柱カバー部材２３だけで、縦樋を構成する。
【００２３】
２つの梁３は、図１に示すように、カーポート１の前後方向に離間して配置される。２つの梁３は、それぞれ、屋根体４の左右方向に延びる。２つの梁３の左右方向の両端部（右側及び左側の端部）は、図５に示すように、Ｌ字状の接続部材２５を介して、支柱２の上端部に接続される。２つの梁３の下部には、連結部材５を介して、屋根体４が接続される。
【００２４】
屋根体４は、詳細については後述するが、図１及び図２に示すように、複数の長尺形材４１が、梁３が延びる方向に並んで連設されて、互いが嵌合して連結されることで構成され、上面４ａ及び下面４ｂがフラット（平面状）に形成される。本実施形態では、屋根体４の上面４ａが平面状に形成されることから、屋根体４を傾かせるだけで、屋根体４の上面４ａの水を、容易に、屋根体４の傾斜面に沿って流すように構成している。
【００２５】
具体的には、本実施形態の屋根体４の上面４ａは、図６に示すように、例えば、傾斜角度α１の角度で、前後方向の前側が下る下り傾斜に配置される。そのため、屋根体４の上面４ａを流れる水の流れとしては、屋根体４の前後方向の前側が下流側となる。本実施形態においては、例えば、屋根体４の前後方向の傾斜角度α１を１°〜２°程度に設定している。
また、図７に示すように、屋根体４の上面４ａは、左右方向の中央の高さが、左右方向の端部における下端から、例えば、高さＬａであって、最も高く配置され、左右方向の端部に向かうに従って下る勾配の傾斜面を有するように構成される。本実施形態においては、例えば、屋根体４の左右方向の中央を高さＬａ＝１０ｍｍ程度持ち上げて、中央から両側に下る屋根体４の傾斜角度β１を１°〜２°程度に設定している。
【００２６】
２つの梁３は、図５、図８及び図９に示すように、それぞれ、断面が角筒状に形成される梁側ホロー部３１と、梁３の対向面（梁３の面における対向する別の梁３側の面、一方の梁３における他方の梁３側の面、他方の梁３における一方の梁３側の面）に配置される梁カバー部材３２と、を有する。梁側ホロー部３１の下面３１ａは、図５に示すように、左右方向の端部において、Ｌ字アングル３１０を介して、支柱２に固定されている。本実施形態においては、２つの梁３は、屋根体４の前後方向に離間して対向して配置されており、梁３の対向面（梁３の面における対向する別の梁３側の面）側の構成は、同様の構成である。
【００２７】
梁側ホロー部３１は、左右方向に延びて形成され、図９及び図１０に示すように、梁３の対向面（梁３の面における対向する別の梁３側の面）において、上下方向の途中に形成される梁側カバー嵌合部３１１と、梁側凹部３１２と、梁側凹部３１２の上方側に形成される上方側下面３１３と、梁側凹部３１２の下方側に形成される梁側凸状部３１４と、梁側凸状部３１４の下方側に形成される下部突出支持部３１５と、を有する。
【００２８】
梁側カバー嵌合部３１１には、梁カバー部材３２のカバー側嵌合部３２１が嵌合される。
梁側凹部３１２は、梁側カバー嵌合部３１１の下方に形成され、梁３の対向面（梁３の面における対向する別の梁３側の面）から窪む。梁側凹部３１２の空間は、連結部材５（後述）の引っ掛け部分５３が上下方向に移動可能に保持される遊び部３０を構成する。
【００２９】
遊び部３０に連結部材５（後述）の引っ掛け部分５３が配置された状態において、上方側下面３１３と連結部材５の引っ掛け部分５３の上面との間には、上側規制部材６１が配置され、下部突出支持部３１５と連結部材５の引っ掛け部分５３の下面との間には、下側規制部材６２が配置される。
【００３０】
梁カバー部材３２は、図８及び図１０に示すように、板状に形成され、上下方向に幅を有して、屋根体４の左右方向に延びる。梁カバー部材３２における梁側ホロー部３１側の面の上部には、カバー側嵌合部３２１が形成される。カバー側嵌合部３２１が、梁側ホロー部３１の梁側カバー嵌合部３１１に嵌合することで、梁カバー部材３２は、上側規制部材６１（後述）及び連結部材５の上方側の部分を覆う。
【００３１】
連結部材５は、梁３と屋根体４とを接続する。連結部材５は、屋根体４の前後方向において、梁３の対向面（梁３の面における対向する別の梁３側の面）側に配置されて固定される。連結部材５は、一対の梁３のそれぞれに対応して設けられる。一対の連結部材５は、屋根体４における長尺形材４１の長手方向に離間して設けられる。連結部材５は、図８及び図９に示すように、梁３の長手方向に沿って延びる。連結部材５の長手方向の両端部は、図９に示すように、梁３の長手方向の端部まで延びずに、梁３の長手方向の途中まで延びる。
【００３２】
連結部材５は、図９に示すように、屋根体４の左右方向に延びる垂直延在部５１と、複数のＬ字状部分５２と、引っ掛け部分５３と、を有する。
垂直延在部５１は、図９に示すように、上下方向に所定幅を有した板状に形成され、梁３の対向面（梁３の面における対向する別の梁３側の面）側に沿って、屋根体４の左右方向に延びる。垂直延在部５１左右方向の両端部は、吊り金具５５に接続される。
【００３３】
吊り金具５５は、図９に示すように、連結部材５における左右方向の両端部に配置される。吊り金具５５は、連結部材５の左右方向の外側の端部と、屋根体４の左右方向の支柱２側の端部と、を接続する。吊り金具５５は、連結部材５の長手方向の外側の端面が、屋根体４の下方から視認し難いように、連結部材５の左右方向の外側の端部から屋根体４の左右方向の支柱２側の端部まで延びる。これにより、連結部材５の長手方向の外側の端面が屋根体４の下方から視認し難いため、意匠性を向上できる。
【００３４】
吊り金具５５は、吊り水平底面板５５１と、吊り垂直取り付け板５５２と、を有する。
吊り水平底面板５５１は、左右方向に延びる長方形状の板材により形成される。吊り水平底面板５５１は、左右方向の外側の端部において、ネジ部材５５１ａにより、屋根体４の左右方向の端部に配置される長尺形材４１（樋構成形材４２）及び引っ掛け枠体１２０と共締めされることで、屋根体４の左右方向の端部に配置される長尺形材４１（樋構成形材４２）に固定される。また、吊り水平底面板５５１の左右方向の途中の下面には、ネジ部材５５１ｂにより、フック部１１０が固定されている。
【００３５】
吊り垂直取り付け板５５２は、垂直方向に沿って延びる板状に形成され、ネジ部材５５２ｂにより、連結部材５の垂直延在部５１に固定される。吊り垂直取り付け板５５２の左右方向の外側の上端部には、吊り垂直取り付け板５５２の端部側に向かうに従って下るように傾斜する傾斜辺５５２ａが形成される。吊り金具５５は、屋根体４の左右方向の外側の上端部に傾斜辺５５２ａが形成されるため、下方から視認し難い。これにより、意匠性が損なわれることを抑制できる。
【００３６】
複数のＬ字状部分５２は、屋根体４の左右方向に並んで配置され、垂直延在部５１の下端部に接続される。複数のＬ字状部分５２は、それぞれ、断面Ｌ字状の板状に形成され、屋根体４の上面４ａに沿って、屋根体４の左右方向に並んで配置される。一対の梁３に形成される一対の複数のＬ字状部分５２は、屋根体４の前後方向において、梁３の対向面（梁３の面における対向する別の梁３側の面）側に配置され、互いに対向する。屋根体４の左右方向に並んで配置されるＬ字状部分５２の間には、図９に示すように、端部側からＬ字状に切り欠かれたように形成される切り欠き開口５４（貫通部、開口部）が形成される。切り欠き開口５４は、左右方向に複数並んで形成される。なお、切り欠き開口５４は、実際に切り欠いて形成してもよく、製造時にその形状で形成してもよい。
【００３７】
複数の切り欠き開口５４は、上下方向における梁３と屋根体４との間に配置され、長尺形材４１の長手方向に貫通する。複数の切り欠き開口５４は、水平方向から見た場合に、長方形状に形成される。複数の切り欠き開口５４は、屋根体４の上面４ａを流通する水の流れを妨げないように、屋根体４の上面４ａに接触する部分を有さずに配置される。複数の切り欠き開口５４は、屋根体４の左右方向に並んで配置される。複数の切り欠き開口５４には、屋根体４の上面４ａを流れる水が上流側から下流側に流れる。切り欠き開口５４の水平方向に開口する部分は、屋根体４を流通する水や水に流される汚れ（例えば、落ち葉など）を通過させて、屋根体４の前後方向において、水や水に流される汚れを、上流側から下流側に向けて流す。
【００３８】
Ｌ字状部分５２は、断面Ｌ字状の板材で形成され、底面片５２１（底面部）と、立ち上がり片５２２と、を有する。
底面片５２１は、屋根体４の上面４ａに配置される。一対の底面片５２１は、屋根体４の前後方向において、梁３の対向面（梁３の面における対向する別の梁３側の面）側に配置され、互いが近づくように延びる。底面片５２１は、断面が略Ｃ字状の連結部材用クッション材５８に挿入された状態で、図９に示すように、ネジ部材５２１ａにより、底面片５２１、連結部材用クッション材５８及び長尺形材４１を共締めすることで、屋根体４の上面４ａに固定される。
【００３９】
複数の連結部材用クッション材５８は、例えば、樹脂材料で形成され、屋根体４をネジ部材５２１ａが貫通した場合に、屋根体４に形成されるネジ孔から屋根体４の内部への水の浸入を防止する。
【００４０】
底面片５２１の上面５２１ｂは、屋根体４の前後方向の傾斜方向と逆方向に僅かに傾斜する。これにより、Ｌ字状部分５２を屋根体４に固定する際に、底面片５２１の上面５２１ｂは、屋根体４の傾斜と打ち消し合って水平になる。
【００４１】
立ち上がり片５２２は、下端部が底面片５２１における梁３（２つの梁３のうちの連結部材５が接続される側の梁３）側の端部に接続され、上方に延び、ネジ部材５５２ｂにより、垂直延在部５１に接続される。
【００４２】
引っ掛け部分５３は、図９及び図１０に示すように、垂直延在部５１の上端部から梁３側に突出する。連結部材５の引っ掛け部分５３は、梁３の梁側凹部３１２の空間である遊び部３０に配置される。
引っ掛け部分５３は、梁３側に延在する水平延在片５３１と、水平延在片５３１の先端から上下方向に突出する上下突出片５３２と、を有する。
【００４３】
引っ掛け部分５３の水平延在片５３１の上面と梁３の上方側下面３１３との間には、上下方向の長さが調整された上側規制部材６１が配置される。上側規制部材６１は、図１０に示すように、ネジ部材６１１により、梁側ホロー部３１に固定される。
また、引っ掛け部分５３の水平延在片５３１の下面と下部突出支持部３１５との間には、上下方向の長さが調整された下側規制部材６２が配置される。下側規制部材６２は、図１０に示すように、ネジ部材６２１により、梁側ホロー部３１に固定される。
【００４４】
上側規制部材６１は、図９に示すように、屋根体４の左右方向に並んで複数設けられる。複数の上側規制部材６１は、上下方向の長さが異なる部材を使用することで、屋根体４の左右方向の所定位置において、連結部材５の上下方向の位置を異なるように設定できる。
また、下側規制部材６２は、引っ掛け部分５３の下方側に配置され、上側規制部材６１に対応させた上下方向の長さが異なる部材を使用することで、屋根体４の左右方向の所定位置において、連結部材５の上下方向の位置を異なるように設定できる。
【００４５】
図１０及び図１１に示すように、上側規制部材６１及び下側規制部材６２（高さ調整部材）は、梁側凹部３１２により構成される梁３と連結部材５との間に形成された遊び部３０において、屋根体４の左右方向に勾配を設ける際に、上下方向の長さが異なる長さの部材が使用される。上側規制部材６１及び下側規制部材６２は、遊び部３０において連結部材５の高さ方向の位置を調整する。屋根体４の左右方向の所定の位置において、上下方向の長さが異なる長さの上側規制部材６１及び下側規制部材６２を設置して、遊び部３０において連結部材５の高さ方向の位置を調整することで、屋根体４の高さ方向の位置を調整できる。このように、梁３の梁側凹部３１２により構成される遊び部３０、上側規制部材６１及び下側規制部材６２は、連結部材５の高さ方向の位置を調整可能な高さ調整機構を構成する。
【００４６】
図１０に示すように、連結部材５の高さを調整する高さ調整機構においては、上側規制部材６１の上下方向の第１長さをＬ１、下側規制部材６２の上下方向の第２長さをＬ２とした場合に、互いの長さの和が同じであって、上下方向の長さが異なる上側規制部材６１及び対応する下側規制部材６２を使用する。そして、屋根体４の左右方向の中央が最も高く、左右方向の端部に向かうに従って下る勾配の傾斜面を有するように、屋根体４の左右方向の所定位置において、連結部材５のＬ字状部分５２の底面片５２１の位置が、左右方向の中央よりも端部側において、下方に位置するように、上側規制部材６１及び対応する下側規制部材６２を選択する。
【００４７】
これにより、例えば、図１０に示すように、屋根体４の左右方向の端部においては、上側規制部材６１の上下方向の第１長さＬ１がＬ１１のものを使用し、下側規制部材６２の上下方向の第２長さＬ２がＬ２１のものを使用する。これにより、連結部材５の引っ掛け部分５３の上下方向の位置を決定して、連結部材５のＬ字状部分５２の底面片５２１に当接する屋根体４の上面４ａの高さＨ１を、基準高さＨｋから高さＨａだけ下げるように調整することができる。
【００４８】
また、例えば、図１１に示すように、屋根体４の左右方向の端部よりも中央側においては、上側規制部材６１の上下方向の第１長さＬ１がＬ１２（＜Ｌ１１）のものを使用し、下側規制部材６２の上下方向の第２長さＬ２がＬ２２（＞Ｌ２１）のものを使用する。これにより、連結部材５の引っ掛け部分５３の上下方向の位置を決定して、連結部材５のＬ字状部分５２の底面片５２１に当接する屋根体４の上面４ａの高さＨ２を、基準高さＨｋから高さＨｂ（＜Ｈａ）だけ下げるように調整することができる。
【００４９】
ここで、連結部材５の長手方向の各位置において、高さ調整機構により屋根体４の高さを調整した具体例について説明する。図１及び図１２に示すように、屋根体４の左右方向の中心位置Ｘｃには、梁３の対向面側において、中心位置表示片６０が取り付けられる。高さ調整機構は、中心位置表示片６０を基準の中心位置Ｘｃとして、連結部材５の長手方向の各位置において、各位置における高さ調整を行うことができる。
【００５０】
本実施形態においては、図１２に示すように、高さ調整機構により調整される連結部材５の長手方向の各位置は、例えば、屋根体４の左右方向の中心位置Ｘｃから端部に向かって順に、中心位置Ｘｃから距離Ｗａ離れた位置である第１位置Ｘ１、第１位置Ｘ１から距離Ｗａ離れた位置である第２位置Ｘ２、第２位置Ｘ２から距離Ｗａ離れた位置である第３位置Ｘ３、第３位置Ｘ３から距離Ｗｂ離れた位置である第４位置Ｘ４である。本実施形態では、例えば、距離Ｗａ，Ｗｂは４５０ｍｍ〜６００ｍｍ程度に設定することが好ましい。
【００５１】
図１２に示すように、屋根体４の左右方向の中心位置Ｘｃにおいて、上側規制部材６１ａの上下方向の第１長さＬ１がＬ１ａのものを使用すると共に、下側規制部材６２ａの上下方向の第２長さＬ２がＬ２ａのものを使用する。ここでは、屋根体４の左右方向の中心位置Ｘｃにおける連結部材５の底面片５２１の底面の高さを、屋根体４の上面４ａの基準高さＨｋとする。
【００５２】
また、屋根体４の左右方向の中心位置Ｘｃに対して端部側の第１位置Ｘ１、第２位置Ｘ２、第３位置Ｘ３、第４位置Ｘ４においては、第１位置Ｘ１から第４位置Ｘ４に向かうに従って、高さＨｄ，Ｈｄ，Ｈｄ，Ｈｅずつ高さが低くなるように、上側規制部材６１ｂ，６１ｃ，６１ｄ，６１ｅの上下方向の第１長さＬ１がＬ１ｂ，Ｌ１ｃ，Ｌ１ｄ，Ｌ１ｅのものを使用すると共に、下側規制部材６２ｂ，６２ｃ，６２ｄ，６２ｅの上下方向の第２長さＬ２がＬ２ｂ，Ｌ２ｃ，Ｌ２ｄ，Ｌ２ｅのものを使用する。本実施形態では、例えば、高さＨｄ，Ｈｅは３ｍｍ〜５ｍｍ程度に設定することが好ましい。
【００５３】
これにより、高さ調整機構により、屋根体４の上面４ａの高さ（連結部材５の底面片５２１の底面）は、第１位置Ｘ１において、基準高さＨｋよりも高さＨｄだけ低い第１高さＨｘ１に調整され、第２位置Ｘ２において、第１高さＨｘ１よりも高さＨｄだけ低い第２高さＨｘ２に調整され、第３位置Ｘ３において、第２高さＨｘ２よりも高さＨｄだけ低い第３高さＨｘ３に調整され、第４位置Ｘ４において、第３高さＨｘよりも高さＨｅだけ低い第４高さＨｘ４に調整される。
【００５４】
このように、屋根体４の左右方向における中心位置Ｘｃ、第１位置Ｘ１、第２位置Ｘ２、第３位置Ｘ３、第４位置Ｘ４において、高さ調整機構により、屋根体４の左右方向における中心位置Ｘｃから端部に向かうに従って、屋根体４の上面４ａの高さを徐々に低くなるように緩やかに傾斜させることができる。
【００５５】
以上のように構成される高さ調整機構により、図７に示すように、屋根体４の左右方向の中央（中心位置Ｘｃ）が最も高くなり左右方向の中央から両端部（位置Ｘ１、位置Ｘ２、位置Ｘ３、位置Ｘ４）に向かうに従って下るように、上下方向の長さの異なる上側規制部材６１及び下側規制部材６２を、屋根体４の左右方向のそれぞれの位置において使用する。これにより、屋根体４の左右方向の所定位置において、連結部材５の上下方向の位置を異なるように構成して、屋根体４に左右方向の傾斜を設けることができる。
【００５６】
屋根体４の左右方向の端部よりも中央側に配置される下側規制部材６２は、図１１に示すように、抜け防止ネジ部材５２ａにより、連結部材５の垂直延在部５１と共に、梁側ホロー部３１に固定される。これにより、連結部材５の引っ掛け部分５３が、梁３の遊び部３０（梁側凹部３１２）から抜け出ることを防止できる。
【００５７】
屋根体４は、図５に示すように、屋根体４が２つの梁３の下部に吊られて配置される吊り下げ構造であって、連結部材５を介して、２つの梁３の下部に取り付けられる（接続される）。屋根体４は、複数の長尺形材（長尺材）４１が、梁３が延びる方向に並んで連設されて互いが嵌合して連結されて構成される。
【００５８】
複数の長尺形材４１は、図５に示すように、それぞれ、カーポート１の前後方向（梁３が延びる方向に直交する方向）に延びており、所定の厚さを有する。複数の長尺形材４１は、それぞれ、アルミ材料の押出し形材で形成され、断面が中空状に形成される中空部を有するホロー構造を有する。屋根体４は、上面４ａ及び下面４ｂがフラット（平面状）に形成される。
【００５９】
屋根体４の上面４ａは、図６に示すように、屋根体４の前後方向において、例えば、傾斜角度α１の角度で、前後方向の前側が下る下り傾斜に形成される（長尺形材４１の長手方向の一方側から他方側に向かうに従って下るように傾斜する）。屋根体４は、２組の支柱２に接続される梁３の高さが調整されることで、前後方向の前側に傾斜するように取り付けられる。また、屋根体４の上面４ａは、前述の通り、連結部材５の高さを調整する高さ調整機構により、図７に示すように、左右方向の中央（中心位置Ｘｃ）が最も高く（高さＬａ）配置され、左右方向の中央から両端部に向かうに従って下る傾斜角度β１の勾配を有して傾斜する。
【００６０】
屋根体４は、図５に示すように、アルミ材料の押出し形材で形成された複数の長尺形材４１を連結して屋根体４を構成することで、複数の長尺形材４１を、屋根体４の面材として使用できると共に、屋根体４の強度を確保することができる。また、屋根体４を構成する複数の長尺形材４１を、中空部を有する形材で構成することで、屋根体４自体を強度部材として使用でき、屋根体４の強度を出すための部材を別に設ける必要がない。よって、屋根体４を構成する部材の部品点数を低減できる。
【００６１】
屋根体４を構成する複数の長尺形材４１は、図５、図１３及び図１４に示すように、一方側の両端部に配置される２つの樋構成形材４２と、左右方向の両側の２つの樋構成形材４２の間に配置される複数の中間形材４３と、により構成される。複数の長尺形材４１は、それぞれ、連結部材５を介して、梁３に接続される。
【００６２】
屋根体４の上面４ａには、図１に示すように、屋根体４の左右方向に延びるフラットバー４０１が配置され、複数のネジ部材４０１ａにより固定される。フラットバー４０１は、屋根体４の前後方向の略中央において、複数の中間形材４３が延びる方向に直交する方向に延びて形成され、複数の中間形材４３の上面に亘って配置される。フラットバー４０１は、複数の長尺形材４１のうちの複数の中間形材４３それぞれに、ネジ部材４０１ａで固定されている。フラットバー４０１で複数の中間形材４３を固定することにより、複数の中間形材４３が左右方向に離れて開くことが抑制されるため、屋根体４における中間形材４３の連結部分に配置されるパッキン部材４０２（後述）の止水機能を向上させることができる。
【００６３】
樋構成形材４２は、図５に示すように、屋根体４において、複数の長尺形材４１が並ぶ方向の一方側の両端部に並列に配置される。樋構成形材４２は、複数の長尺形材４１のうち、複数の長尺形材４１が並ぶ方向の一方側及び他方側の端部に配置される長尺形材であり、屋根体側樋構造として構成される。樋構成形材４２は、図１３に示すように、上部側が上方側に向けて開口する長尺形材により形成される。本実施形態においては、樋構成形材４２は、中空部を有さないソリッド材により形成され、上部側が開口する断面Ｕ字形状に形成される。なお、樋構成形材４２は、これに限定されず、中空部を有するホロー構造のアルミ材料の長尺形材の上面が切り欠かれることで上部側が開口する形状に形成されていてもよい。
【００６４】
樋構成形材４２は、屋根体４の左右方向の支柱２側の両端部において、屋根体４の上面４ａを流れて両端部に達した水を受け止めて流通させる屋根体端部側樋構成部４０（端部側樋構造）を構成する。屋根体端部側樋構成部４０は、屋根体４における支柱２側の両端部に配置されている。屋根体端部側樋構成部４０は、樋構成形材４２の長手方向に延びて形成され、支柱２と支柱カバー部材２３との間の支柱側樋構成部２０（柱材側樋構造）に接続される。
【００６５】
屋根体端部側樋構成部４０は、上部側が開口しているため、屋根体端部側樋構成部４０を屋根体４の下方から見た場合に、長尺形材４１のフラットな（平面状の）下面が見えるだけで、屋根体４の上面４ａ側に樋が存在することを認識させずに樋を構成でき、意匠性を向上できる。
【００６６】
ここで、以下の長尺形材４１の説明において、左右方向の区別が必要な場合には、図３、図５、図１３、図１４等における右側を、一方側といい、図３、図５、図１３、図１４等における左側を、他方側という。
【００６７】
樋構成形材４２は、図１３に示すように。屋根体４の左右方向の一方側に形成される樋構成部４２１と、屋根体４の左右方向の他方側に形成される他方側上部外方延出片４２７（固定部）と、屋根体４の左右方向の他方側に形成される他方側下部外方片４２８と、を有する。
【００６８】
樋構成部４２１は、上方が開放する略Ｕ字形状の樋構成部本体４２２と、屋根体４の左右方向の一方側に配置される一方側上部内方延出片４２３と、水切りフィン４２５と、一方側上部壁４２６と、を有する。
【００６９】
樋構成部本体４２２は、屋根体４の上面４ａにおいて支柱２側に流された水を、上方の開放された部分から導入して受け止める。樋構成部本体４２２の左右方向の一方側の側面には、導出開口４２２ａ（排水口）が形成される。
【００７０】
導出開口４２２ａは、前後方向において前側の支柱２が配置される部分において、樋構成部本体４２２の側面を支柱２側の側方に貫通して形成される。導出開口４２２ａには、誘導部材２６の屋根体側開口部２６１（後述）が接続される。
【００７１】
誘導部材２６は、図１３に示すように、屋根体端部側樋構成部４０に流れ込んで滞留した水を、支柱側樋構成部２０に誘導する。誘導部材２６は、誘導部材本体２７と、フィルタ部材２８と、を有する。誘導部材本体２７は、Ｌ字状の筒状に形成され、側部に形成された屋根体側開口部２６１と、下端部に形成された支柱側開口部２６２と、を有する。誘導部材本体２７は、一方側の屋根体側開口部２６１が樋構成部本体４２２（屋根体端部側樋構成部４０）の側面に形成された導出開口４２２ａに接続されると共に、他方側の支柱側開口部２６２が支柱側樋構成部２０の内部に開口される。
【００７２】
フィルタ部材２８は、図１３に示すように、誘導部材本体２７の屋根体側開口部２６１に配置される。フィルタ部材２８は、誘導部材２６に誘導された汚れ（例えば、落ち葉など）をせき止めて捕捉する。フィルタ部材２８は、図１５に示すように、屋根体側開口部２６１を格子状に仕切るように形成され、屋根体側開口部２６１における上下方向の略中央において水平に延びる中間板材２８１と、中間板材２８１から上下方向に立設される複数の立設板２８２と、を有する。フィルタ部材２８は、誘導部材本体２７の屋根体側開口部２６１に対して着脱可能に構成される。誘導部材２６は、誘導部材本体２７及びフィルタ部材２８の２つの部材で構成される。そのため、フィルタ部材２８を誘導部材本体２７から取り外すことで、フィルタ部材２８に捕捉された汚れ（例えば、落ち葉など）を容易に除去できる。
【００７３】
一方側上部内方延出片４２３は、図１３に示すように、樋構成部４２１の一方側において、樋構成部４２１の上方側の他方側の内面から他方側に突出する。一方側上部内方延出片４２３の下面には、引っ掛け枠体１２０の上部取り付け片１２１が配置される。一方側上部内方延出片４２３の上面には、吊り金具５５の吊り水平底面板５５１が配置される。吊り金具５５の吊り水平底面板５５１、一方側上部内方延出片４２３及び引っ掛け枠体１２０の上部取り付け片１２１は、ネジ部材５５１ａにより共締めされる。
【００７４】
なお、本実施形態においては、屋根体４を施工する場合に、複数の長尺形材４１のうちの最も右側（一方側）の樋構成形材４２を最初に設置し、最初に設置した樋構成形材４２を足掛かりに、右側（一方側）から左側（他方側）に向けて順に、複数の長尺形材４１を設置する。そのため、本実施形態においては、最初に設置する樋構成形材４２を設置するために必要となる引っ掛け枠体１２０及びフック部１１０は、屋根体４の左右方向の一方側（図３、図５、図１３、図１４等における右側）の樋構成形材４２にのみ配置され、他方側には配置されない。
【００７５】
引っ掛け枠体１２０は、樋構成形材４２の樋構成部４２１の一方側の端部の上方側に配置される。引っ掛け枠体１２０は、断面略Ｃ字形状に形成される。引っ掛け枠体１２０は、上部取り付け片１２１と、Ｕ字状部材１２２と、上部内方延出片１２３と、引っ掛け突出片１２４と、を有する。
【００７６】
上部取り付け片１２１は、水平方向に延び、一方側上部内方延出片４２３の下面に固定される。Ｕ字状部材１２２は、上部取り付け片１２１の一方側の端部に接続され、上方が開放する。上部内方延出片１２３は、Ｕ字状部材１２２の左右方向の他方側の上端部から一方側に突出する。引っ掛け突出片１２４は、上部内方延出片１２３の一方側の先端部から下方に突出する。
【００７７】
樋構成形材４２を連結部材５に取り付ける場合には、樋構成形材４２に固定された引っ掛け枠体１２０の引っ掛け突出片１２４を、吊り金具５５の吊り水平底面板５５１の下面に固定されたフック部１１０の立ち上がり板１１４に引っ掛けることで、樋構成形材４２を、連結部材５の下面に仮置きできる。また、樋構成形材４２に固定された引っ掛け枠体１２０の引っ掛け突出片１２４を連結部材５の下面に固定されたフック部１１０の立ち上がり板１１４に引っ掛けた状態で、引っ掛け突出片１２４を中心に樋構成形材４２を回転することで、樋構成形材４２を、取り付け位置に配置できる。
【００７８】
フック部１１０は、図１３に示すように、吊り金具５５の吊り水平底面板５５１の下面にネジ部材５５１ｂで固定されることにより取り付けられる取付板１１１と、取付板１１１の先端側の端部から下方に延びる上下方向延在板１１２と、上下方向延在板１１２の下端部から屋根体４の左右方向の他方側に延びる底面板１１３と、底面板１１３における屋根体４の他方側の端部から立ち上がる立ち上がり板１１４と、を有する。
【００７９】
樋構成形材４２に固定された引っ掛け枠体１２０の引っ掛け突出片１２４は、樋構成形材４２が連結部材５を介して梁３に接続された状態においては、フック部１１０の上方に配置される。これにより、樋構成形材４２が梁３に接続された状態において、樋構成形材４２を固定するネジ部材５２１ａが外れた場合においても、引っ掛け突出片１２４は、フック部１１０の立ち上がり板１１４に引っ掛かって、樋構成形材４２の落下を抑制できる。
【００８０】
水切りフィン４２５は、図１３に示すように、樋構成部本体４２２における屋根体４の一方側において、樋構成部本体４２２の下端部から下方に突出する。水切りフィン４２５の下端部４２５ａの位置は、上下方向において、支柱カバー部材２３の上端部よりも下方に位置する。
【００８１】
水切りフィン４２５は、屋根体側部カバー部材８により伝達された水を、屋根体４の下面４ｂに回り込まないように、屋根体４の下方に落下させる。
【００８２】
一方側上部壁４２６は、屋根体４の一方側の端部において、屋根体４の上面４ａから立設して形成される。一方側上部壁４２６は、屋根体４の一方側の端部において、水の飛び出しを低減する。
【００８３】
他方側上部外方延出片４２７は、樋構成部本体４２２における屋根体４の左右方向の他方側（図１３における左側）の上端部から左右方向の他方側に向けて延出する。他方側上部外方延出片４２７は、樋構成形材４２の左右方向の他方側の端部の上端部に配置され、ネジ部材５２１ａにより連結部材５に固定される固定部を構成する。他方側上部外方延出片４２７は、中間形材４３における引っ掛け係合部４２８ａの上方に形成される。
【００８４】
他方側上部外方延出片４２７における屋根体４の左右方向の他方側（図１３における左側）の端部には、側方に延出する側方延出壁４２７ｂと、下方延出壁４２７ｃと、が形成される。
【００８５】
下方延出壁４２７ｃにおける屋根体４の左右方向の他方側の面には、隣接する中間形材４３の一方側の端部に取り付けられるパッキン部材４０２が押圧される。パッキン部材４０２は、樋構成形材４２と中間形材４３との連結部分に配置される止水部として機能する。パッキン部材４０２は、樋構成形材４２及び隣接する中間形材４３（長尺形材４１）の連結部分が延びる方向、即ち、長尺形材４１の長尺方向（長手方向）に沿って延びるように形成される。
【００８６】
他方側下部外方片４２８は、樋構成部本体４２２における屋根体４の左右方向の他方側の下端部から他方側に延出する。他方側下部外方片４２８における他方側の端部には、上方側に突出する引っ掛け係合部４２８ａが形成される。
【００８７】
引っ掛け係合部４２８ａは、図１３に示すように、梁３に取り付けられた樋構成形材４２の左右方向の他方側の端部において、樋構成形材４２の下端部に形成される。引っ掛け係合部４２８ａは、梁３に取り付けられた樋構成形材４２の左右方向の他方側の端部において、樋構成形材４２の下端部に配置される他方側下部外方片４２８から上方に立ち上がると共に、立ち上がった上端部において長手方向に直交する幅方向に延びるＴ字状に形成される。
【００８８】
中間形材４３の引っ掛け係合部４２８ａは、隣接する中間形材４３の一方側の下端部の側面から一方側に突出する一方側下部突出片４３６と、隣接する中間形材４３の一方側の端部に形成される引っ掛け延出片４３５の戻り引っ掛け片４３５ｂと、（後述）に係合可能である。
【００８９】
他方側下部外方片４２８の上面には、隣接する長尺形材４１の中間形材４３における中段樋構成部４１０（止水部）から溢れた水が流通する。他方側下部外方片４２８の上面は、屋根体４の内部において、上下方向の下段に位置する下段樋構成部４２０を構成する。下段樋構成部４２０は、水を流す樋機能を有すると共に、止水部として機能する。下段樋構成部４２０は、パッキン部材４０２を通過して中段樋構成部４１０に受け止められて中段樋構成部４１０（止水部）から溢れた水を受け止める。下段樋構成部４２０は、中段樋構成部４１０から溢れて受け止めた水を前後方向の両端部側に流通させる。
【００９０】
つまり、屋根体４は、隣接する長尺形材４１の連結部分において、図１３に示すように、２段の樋構造を備えており、上段側に配置されると共に上段側で水を受け止める中段樋構成部４１０と、下段側に配置されると共に下段側で中段樋構成部４１０から溢れた水を受け止める下段樋構成部４２０と、を備えている。中段樋構成部４１０及び下段樋構成部４２０は、隣接する長尺形材４１の連結部分が延びる方向、即ち、長尺形材４１の長尺方向（長手方向）に沿って延びる。
【００９１】
樋構成形材４２は、図１３に示すように、屋根体４の左右方向の一方側において、上方側からネジ部材５５１ａが移動され、吊り金具５５の吊り水平底面板５５１、一方側上部内方延出片４２３及び引っ掛け枠体１２０の上部取り付け片１２１を貫通することで、ネジ部材５５１ａにより共締めされる。
また、樋構成形材４２は、屋根体４の左右方向の他方側において、上方側から移動されるネジ部材５２１ａにより、他方側上部外方延出片４２７は、連結部材５のＬ字状部分５２の底面片５２１と共締めされる。
【００９２】
中間形材４３は、図５に示すように、左右方向の一端側に配置される樋構成形材４２と他端側に配置される樋構成形材４２との間に複数並んで配置される。中間形材４３は、図１４に示すように、一方側に配置される第１中間ホロー部４３１と、第１中間ホロー部４３１の左右方向の他方側に配置される第２中間ホロー部４３２と、第１中間ホロー部４３１における一方側の上端部の側面に形成されるパッキン取付凹部４３３と、第１中間ホロー部４３１の中間形材４３側の面において上下方向の略中央から中間形材４３側に延在するＬ字状の中段樋部４３４と、中段樋部４３４の一方側の端部の下端部から下方に延びるＬ字状の引っ掛け延出片４３５と、第１中間ホロー部４３１における中間形材４３側の下端部の側面から一方側に突出する一方側下部突出片４３６と、他方側上部外方延出片４３７と、他方側下部外方片４３８と、を有する。
【００９３】
中段樋部４３４の一方側の端部の下方側には、図１４に示すように、下方に開口（開放）する開口部４３９が形成される。開口部４３９は、中段樋部４３４における第１中間ホロー部４３１の一方側に配置される上下方向に延びる端辺４３１ａと、Ｌ字状の引っ掛け延出片４３５とにより形成される。開口部４３９の開口縁には、開口部４３９の開口縁から開口部４３９の内側に互いに対向して突出する対向突出部４３９ａが形成される。本実施形態においては、対向突出部４３９ａは、一方側下部突出片４３６と、Ｌ字状の引っ掛け延出片４３５の戻り引っ掛け片４３５ｂ（後述）と、により構成され、互いが近づくように、開口部４３９の内側に向けて突出して延びる。
【００９４】
以上のように構成される樋構成形材４２及び中間形材４３においては、隣接する樋構成形材４２及び中間形材４３が連結した状態において、樋構成形材４２の引っ掛け係合部４２８ａは、隣接する中間形材４３の開口部４３９の内部に配置された状態で、上下方向の移動を規制するように、対向突出部４３９ａ（一方側下部突出片４３６、Ｌ字状の引っ掛け延出片４３５の戻り引っ掛け片４３５ｂ）に引っ掛かって嵌合する。
【００９５】
パッキン取付凹部４３３は、基端側に隣接する樋構成形材４２の下方延出壁４２７ｃに対向して配置される。パッキン取付凹部４３３の上面４３３ａは、屋根体４の上面４ａから一段下がった位置に形成される。パッキン取付凹部４３３の上面４３３ａには、側方延出壁４２７ｂが配置される。つまり、側方延出壁４２７ｂは、パッキン取付凹部４３３の上面４３３ａに重なって配置される。パッキン取付凹部４３３は、隣接する長尺形材４１の連結部分が延びる方向、即ち、長尺形材４１の長尺方向（長手方向）に沿って延びる。
【００９６】
パッキン取付凹部４３３には、パッキン部材４０２が取り付けられる。パッキン部材４０２は、パッキン取付凹部４３３に取り付けられた状態で、基端側に隣接する樋構成形材４２の下方延出壁４２７ｃを押圧する。パッキン部材４０２は、樋構成形材４２と中間形材４３との連結部分に配置され、止水部として機能する。
以上のように、パッキン取付凹部４３３の上面４３３ａには、側方延出壁４２７ｂが重なって配置される。このため、パッキン部材４０２が外部に直接露出されないため、パッキン部材４０２の耐候性を向上でき、パッキン部材４０２の劣化を低減できる。
【００９７】
中段樋部４３４は、底壁部４３４ａと、立設片４３４ｂと、を有する。中段樋部４３４は、屋根体４の内部において、上下方向の中段に位置する中段樋構成部４１０を構成する。中段樋構成部４１０は、水を流す樋機能を有すると共に、止水部として機能する。中段樋構成部４１０は、パッキン部材４０２で止水できなかったパッキン部材４０２を通過した水を受け止めて、受け止めた水を前後方向の両端部側に流通させる。
【００９８】
Ｌ字状の引っ掛け延出片４３５は、下方延出片４３５ａと、下方延出片４３５ａの下端部から第１中間ホロー部４３１側に戻るように延びる戻り引っ掛け片４３５ｂと、を有する。戻り引っ掛け片４３５ｂは、隣接する樋構成形材４２の先端側の端部に形成される引っ掛け係合部４２８ａに係合可能である。戻り引っ掛け片４３５ｂは、引っ掛け係合部４２８ａに係合した状態で、引っ掛け係合部４２８ａを中心に回転可能である。
【００９９】
樋構成形材４２の隣りに、隣接する中間形材４３を取り付ける場合には、連結部材５が接続された樋構成形材４２の引っ掛け係合部４２８ａに、中間形材４３の引っ掛け延出片４３５を引っ掛けることで、梁３の下方において、中間形材４３を仮置きできる。また、樋構成形材４２の引っ掛け係合部４２８ａに中間形材４３の引っ掛け延出片４３５を引っ掛けた状態で、引っ掛け延出片４３５の先端を中心に中間形材４３を回転することで、中間形材４３を取り付け位置に配置できる。
中間形材４３を取り付け位置に配置した状態においては、樋構成形材４２における左右方向の他方側には、樋構成形材４２の引っ掛け係合部４２８ａに中間形材４３の引っ掛け延出片４３５が嵌合した状態で、中間形材４３が取り付けられる。
【０１００】
中間形材４３の他方側上部外方延出片４３７及び他方側下部外方片４３８については、説明しない点については、樋構成形材４２の他方側上部外方延出片４２７及び他方側下部外方片４２８の構造と同様である。そのため、中間形材４３の他方側上部外方延出片４３７及び他方側下部外方片４３８の構造については、図１４において樋構成形材４２の構造に対応する符号を付して、その説明を省略する。
【０１０１】
また、連続して配置される複数の中間形材４３の構成は全て同様の構成であるため、その説明を省略する。梁３に接続した中間形材４３の隣りに、隣接する中間形材４３を取り付ける場合には、樋構成形材４２の隣りに中間形材４３を取り付ける場合と同様に、連結部材５に接続された中間形材４３の引っ掛け係合部４３８ａに、中間形材４３の引っ掛け延出片４３５を引っ掛けることで、連結部材５の下方において、中間形材４３を仮置きできる。また、中間形材４３の引っ掛け係合部４３８ａに中間形材４３の引っ掛け延出片４３５を引っ掛けた状態で、引っ掛け延出片４３５を中心に中間形材４３を回転することで、中間形材４３を取り付け位置に配置できる。隣接する中間形材４３を取り付け位置に配置した状態においては、中間形材４３における左右方向の他方側には、中間形材４３の引っ掛け係合部４３８ａに、隣接する中間形材４３の引っ掛け延出片４３５が嵌合した状態で、隣接する中間形材４３が取り付けられる。
【０１０２】
屋根体４の左右方向の他方側の端部に配置される樋構成形材４２は、一方側の端部の構成が、中間形材４３の一方側の端部の構成と同様であり、一方側の端部以外の構成が、他方側の端部に配置される樋構成形材４２を左右反転した構成と同様である。そのため、屋根体４の左右方向の他方側の端部に配置される樋構成形材４２の説明を省略する。
【０１０３】
以上のように構成される屋根構造体において、図５に示すように、屋根体４における複数の長尺形材４１は、左右方向の一方側から他方側に向かって、樋構成形材４２、複数の中間形材４３、樋構成形材４２の順に並んで連接される。樋構成形材４２、複数の中間形材４３及び樋構成形材４２は、それぞれ、屋根体４における左右方向の他方の端部側において嵌合して連結される。
【０１０４】
一対の屋根体側部カバー部材８は、図１、図１６及び図１７に示すように、屋根体４の前後方向の両端部において、屋根体４の左右方向（長尺形材４１の長手方向に直交（交差）する方向）に延びて配置される。一対の屋根体側部カバー部材８は、屋根体４の前後方向の両端部において、長尺形材４１の側部（端部）を覆うように配置される。屋根体側部カバー部材８は、図１６に示すように、上面部としての上面カバー部８１と、側面部としての側面カバー部８２と、を有する。
【０１０５】
上面カバー部８１は、図１６に示すように、左右方向（長尺形材４１が延びる方向に交差する交差方向）に幅を有して形成され、かつ、屋根体４の左右方向に延びる板状に形成される。上面カバー部８１は、屋根体４の上面４ａに係止されて配置される。
【０１０６】
上面カバー部８１は、側面カバー部８２に接続され、側面カバー部８２の上部側の部分から長尺形材４１側に所定幅で略水平に突出する。上面カバー部８１は、長尺形材４１の長手方向の端部の上部を覆うように、長尺形材４１の長手方向の端部の上部に配置される。上面カバー部８１の下面には、下方に突出する止水凸部８１１（第２止水部）と、下方に突出する２つの突き当て部８１２，８１３と、が形成される。
【０１０７】
止水凸部８１１は、上面カバー部８１の下面において、長尺形材４１の長手方向の外側の端部の下面に配置される。止水凸部８１１は、長尺形材４１の長手方向に直交する方向に沿って延びて配置され、長尺形材４１の長手方向に直交する方向の略全域に亘って延びる。止水凸部８１１は、複数の長尺形材４１の上面に当接する。これにより、止水凸部８１１は、長尺形材４１の端部において、上面カバー部８１と屋根体４との間に水が浸入することを抑制する止水部（第２止水部）として機能する。
【０１０８】
２つの突き当て部８１２，８１３は、上面カバー部８１の下面から下方に突出して形成され、上面カバー部８１の止水凸部８１１よりも長尺形材４１の長手方向の外側において、長尺形材４１の長手方向に離間して配置される。突き当て部８１２，８１３は、屋根体４において長尺形材４１の長手方向に直交する方向の略全域に亘って延びる。
【０１０９】
止水凸部８１１と突き当て部８１２との間には、上面カバー部８１の下面と長尺形材４１との間において、上面シール部材８１４が配置される。上面シール部材８１４は、長尺形材４１の長手方向に所定幅を有し、長尺形材４１の長手方向に直交する交差方向の略全域に亘って延びる。
【０１１０】
側面カバー部８２は、上面カバー部８１における長尺形材４１の長手方向の端部の側部の外側に接続され、上下方向に幅を有して形成され、かつ、屋根体４の傾斜方向に沿って左右方向に延びる板状に形成される。側面カバー部８２は、屋根体４における前後方向の端部の側部を覆うように配置される。
【０１１１】
側面カバー部８２は、上方に突出する上部突出部８２１と、下方側に形成され内面から内側に延出して形成される水受け流路部８２２（第４止水部）と、水受け流路部８２２の下部から下方に突出する水切り突状部（水切りフィン）８２３と、水受け流路部８２２の上方側において内面から内側に突出する２つの突状部８２４と、を有する。
【０１１２】
水受け流路部８２２は、中段樋構成部４１０及び下段樋構成部４２０から導出されて屋根体４の前後方向の端部に流された水を受け止める。水受け流路部８２２は、屋根体４の先端側から基端側に水が向かう流路を構成すると共に、水を止水する止水部として機能する。水受け流路部８２２に受け止められた水は、側面カバー部８２が基端側に傾斜する下り傾斜に構成されるため、基端側に流される。水受け流路部８２２により屋根体４の基端側に流された水は、基端側の端部において、屋根体４の下方に落下する。
【０１１３】
ここで、側面カバー部８２の基端側には、側面カバー部８２に直交する方向に延びて形成される樋構成形材４２の下端部から下方に延びる水切りフィン４２５が配置されている。そのため、水切りフィン４２５には、側面カバー部８２の水受け流路部８２２の上面を流された水の一部が伝達される。水切りフィン４２５からは、側面カバー部８２の水受け流路部８２２から伝達された水が、屋根体４の基端部側において屋根体４の下方に落下する。
【０１１４】
また、図１８及び図１９に示すように、長尺形材４１の長手方向の端部において、長尺形材４１には、長手方向に沿って所定長さ切り欠かれる切欠部４３７ｆ（４２７ｆ）が形成される。切欠部４３７ｆ（４２７ｆ）は、長尺形材４１の長手方向に直交する方向の屋根体４の先端側の端部において、長尺形材４１同士の接続部分における前後方向の端部以外の部分に形成される側方延出壁４３７ｂ（４２７ｂ）が切り欠かれて形成される。切欠部４３７ｆ（４２７ｆ）は、長尺形材４１の長手方向に直交する方向の所定幅で、側面カバー部８２が配置される側の端部から長尺形材４１の長手方向に沿って内側に所定長さ切り欠かれたポケット状に形成される。
【０１１５】
切欠部４３７ｆ（４２７ｆ）には、カーポート１の施工時に、湿式シール部材４０３が塗工される。切欠部４３７ｆ（４２７ｆ）は、湿式シール部材４０３が塗工されない状態においては、長尺形材４１同士の接続部分において止水するパッキン部材４０２の長手方向の端部が外部に露出するように切り欠かれている。切欠部４３７ｆ（４２７ｆ）において、カーポート１の施工時に、露出されたパッキン部材４０２を覆うように、湿式シール部材４０３が塗工される。パッキン部材４０２、切欠部４３７ｆ（４２７ｆ）、及び湿式シール部材４０３は、連結端部止水部４８０（第１止水部）を構成する。
【０１１６】
Ｖ字ガイド部７１は、図３及び図４に示すように、屋根体４の上面４ａの上部において、屋根体４の傾斜方向の下流側（前後方向の前側）に配置される。Ｖ字ガイド部７１は、平面視で、屋根体４の下流側（前側）が開放するＶ字形状に形成される。Ｖ字ガイド部７１は、図３に示すように、平面視で、Ｖ字ガイド部７１における左右方向の中央部分が屋根体４の最も上流側（後側）に位置し、屋根体４の傾斜方向の下流側に向かうに従って屋根体４の左右方向の中央側から両端部側に向かうように傾斜する直線状（両端部側が下るように傾斜する直線状）に形成される。Ｖ字ガイド部７１は、屋根体４の左右方向の中央において傾斜方向の上流側（前後方向の後側）を頂点として、左右方向の両端部に向かうに従って傾斜方向の上流側から下流側（前後方向の後側から前側）に向かうように直線状に延びる。Ｖ字ガイド部７１は、中央平面板７１１と、一対の長尺平面板７１２と、一対の長尺立ち上がり板７１３と、一対の側部立ち上がり板７１４と、を有する。
【０１１７】
中央平面板７１１は、Ｖ字ガイド部７１の左右方向の中央部分を構成する。中央平面板７１１は、屋根体４の左右方向の中央に配置され、屋根体４の上面４ａに沿って配置される。本実施形態においては、中央平面板７１１は、平面視で、屋根体４の上流側（後側）の辺と下流側（前側）の辺とが平行に配置され、上流側（後側）の辺の長さが下流側（前側）の辺の長さよりも長い台形状に形成される。
【０１１８】
一対の長尺平面板７１２は、屋根体３の上面４ａに沿って配置される。一対の長尺平面板７１２は、それぞれ、平面視で、長方形状に形成され、中央平面板７１１から屋根体４の左右方向の両側に向かって傾斜して直線状に延びる。一対の長尺平面板７１２は、それぞれ、平面視で、左右方向の両端部に向かうに従って前後方向の後側から前側に向かうように傾斜して形成される。
【０１１９】
一対の長尺立ち上がり板７１３は、それぞれ、長尺平面板７１２の下流側の端部において、所定高さで立ち上がる板状に形成され、長尺平面板７１２の前後方向の前側（屋根体４の傾斜方向の下流側）の端部側の辺に沿って延びる。一対の長尺立ち上がり板７１３は、それぞれ、平面視で、左右方向の両端部に向かうに従って前後方向の後側から前側に向かうように傾斜して形成される。一対の長尺立ち上がり板７１３は、屋根体４の上流側（後側）から下流側（前側）に流れた水を下流側においてガイドして、屋根体４の左右方向の両端部側に誘導する。なお、Ｖ字ガイド部７１にガイドされる水は、屋根体４の上面４ａが、左右方向の中央から端部側に向かうに従って下る勾配を有して傾斜するため、屋根体４の左右方向の両端部側に流れ易い。
【０１２０】
一対の側部立ち上がり板７１４は、それぞれ、長尺平面板７１２の左右方向の外側の端部において、所定高さで立ち上がる板状に形成される。一対の側部立ち上がり板７１４は、それぞれ、平面視で、左右方向の両端部に向かうに従って前後方向の前側から後側に向かうように傾斜して形成される。側部立ち上がり板７１４は、長尺立ち上がり板７１３により屋根体４の左右方向の端部側に誘導された水を、屋根体端部側樋構成部４０に配置された逆勾配部７２に誘導する。
【０１２１】
屋根体４におけるＶ字ガイド部７１が配置された部分よりも前後方向の前側の部分には、平面視で、略三角形状の三角州部分７３が形成される。三角州部分７３における屋根体４の左右方向の端部には、三角州部分７３と逆勾配部７２とが連通する隙間が形成されている。三角州部分７３に降り注いだ雨水は、屋根体４の上面４ａが、左右方向の中央から端部側に向かうに従って下る勾配を有して傾斜するため、三角州部分７３における屋根体４の左右方向の端部の隙間から、逆勾配部７２の上流側の端部に流れ込む。
【０１２２】
逆勾配部７２は、屋根体端部側樋構成部４０において、屋根体４における前後方向の前側に配置される。逆勾配部７２は、図６に示すように、屋根体４の傾斜方向と逆方向に、例えば、傾斜角度α２の傾斜角度で傾斜する。本実施形態においては、逆勾配部７２は、屋根体端部側樋構成部４０の内部に形成されており、屋根体４の厚さの範囲内で逆勾配を形成する。
【０１２３】
例えば、図６に示すように、逆勾配部７２の傾斜角度α２を設定する場合に、屋根体４の厚さの範囲で逆勾配の傾斜を形成するためには、屋根体４の傾斜角度α１を大きく設定すると、屋根体４の傾斜角度α１が小さい場合よりも、逆勾配部７２の基端である屋根体４の下流側の端部から、逆勾配部７２の終端である支柱２までの距離が短くなる。屋根体４の傾斜角度α１を大きくした場合に、逆勾配部７２を屋根体４の厚さの範囲内とするために、支柱２と屋根体４の傾斜方向の端部との距離が近くなり、屋根体４を支柱２で支持する位置は、屋根体４の前後方向の前側の端部近傍になる。そのため、屋根体４を支柱２で支持する位置が、屋根体４の前後方向の前側の端部近傍になると、屋根体４を端部近傍で支持することになり、屋根体４が撓む可能性がある。従って、屋根体４の傾斜角度α１及び逆勾配部７２の傾斜角度α２は、屋根体４の厚さや、支柱２の支持位置や、屋根体４の撓みなどを考慮して適宜設定される。本実施形態においては、屋根体４の厚さや支柱２の支持位置や屋根体４の撓みなどを考慮して、例えば、屋根体４の傾斜角度α２を１°〜２°程度に設定し、逆勾配部７２における屋根体４の傾斜とは逆傾斜の傾斜角度α２を１°〜２°程度に設定できる。
【０１２４】
逆勾配部７２は、屋根体４の前後方向の前側から後側に下るように傾斜する逆勾配傾斜板７２１を有する。逆勾配傾斜板７２１は、屋根体４の前後方向の前側の端部近傍から支柱２まで延びる板状に形成される。逆勾配傾斜板７２１は、Ｌ字状金具７２２を介して、屋根体４の左右方向の端部の長尺形材４１（樋構成形材４２）に固定される。逆勾配部７２に流入した水は、逆勾配傾斜板７２１に沿って屋根体４の前側から後側に向かって流れ、屋根体端部側樋構成部４０の導出開口４２２ａに接続された誘導部材２６を介して、支柱２と支柱カバー部材２３との間の支柱側樋構成部２０（図１３参照）に流入する。
【０１２５】
以上のように構成されるカーポート１は、複数の長尺形材４１が並んで連設されるため、屋根体４の下面４ｂを平面状に形成できることから、意匠性を向上できる。
また、梁３と屋根体４とを接続する連結部材５を備えるため、屋根体４の左右方向の所定の位置において、連結部材５の高さ方向の位置を異ならせることで、屋根体４の高さを異ならせることができる。これにより、簡易な構成で、屋根体４が傾斜する構造を実現できる。
【０１２６】
また、一対の連結部材５のＬ字状部分５２は、互いに対向して配置される。そのため、連結部材５のＬ字状部分５２は、屋根体４の前後方向の外側から視認され難い。これにより、意匠性を向上できる。
また、高さ調整機構により、屋根体４の左右方向の所定の位置において、屋根体４の高さを異ならせることができる。これにより、屋根体４が傾斜する構造を簡単に実現できる。
【０１２７】
次に、カーポート１における雨水の流れについて説明する。
図１に示すカーポート１において、屋根体４の上面４ａに降り注いだ雨水は、屋根体４の上面４ａの傾斜に沿って、屋根体４の傾斜方向の上流側から下流側（前後方向の後側から前側）に流れる。
また、屋根体４は、梁３が延びる方向の中央から両端部に向かうに従って下るように傾斜する。そのため、屋根体４に流された水は、左右方向の中央から両端部に向かうように流されて、屋根体端部側樋構成部４０に流入する。
【０１２８】
ここで、長尺形材４１同士の接続部分には、図１３及び図１４に示すように、パッキン部材４０２が配置されている。そのため、屋根体４の上面４ａを流れる水を、長尺形材４１同士の接続部分において、パッキン部材４０２で止水できる。これにより、屋根体４の上面４ａを流れる水をパッキン部材４０２により止水して、屋根体４の下面４ｂから、水が落下することを抑制できる。本実施形態では、パッキン取付凹部４３３の上面４３３ａには、側方延出壁４２７ｂが重なって配置される。このため、パッキン部材４０２が外部に直接露出されないため、パッキン部材４０２の耐候性を向上でき、パッキン部材４０２の劣化を低減できる。
【０１２９】
屋根体４の上面４ａを前後方向の前側の下流側に流れる水は、屋根体４の上面４ａと梁３との間において、連結部材５の複数の切り欠き開口５４（図８参照）を通過して、屋根体４の上面４ａの傾斜方向の下流側に流れて、図６に示すように、Ｖ字ガイド部７１に到達する。これにより、屋根体４を流通する水や水に流される汚れ（例えば、落ち葉など）を複数の切り欠き開口５４に通過させて、屋根体４の傾斜方向において、水や水に流される汚れを、上流側から下流側に向けて流すことができる。これにより、排水性能を向上できる。
【０１３０】
Ｖ字ガイド部７１に到達した水は、Ｖ字ガイド部７１にガイドされて、屋根体４の左右方向の両端部側に誘導される。Ｖ字ガイド部７１にガイドされた水は、屋根体４の左右方向の両端部において、逆勾配部７２に流入する。また、Ｖ字ガイド部７１にガイドされる水は、屋根体４の上面４ａが、左右方向の中央から端部側に向かうに従って下る勾配を有して傾斜するため、屋根体４の左右方向の両端部側に流れ易い。これにより、Ｖ字ガイド部７１に到達した水を、屋根体端部側樋構成部４０の逆勾配部７２に誘導できるため、排水性能を一層向上できる。
【０１３１】
また、屋根体４の前後方向のＶ字ガイド部７１よりも前側（屋根体４の傾斜方向の下流側）に配置される三角州部分７３に降り注いだ雨水は、屋根体４が、左右方向の中央から端部側に向かうに従って下る勾配を有して傾斜するため、三角州部分７３における屋根体４の左右方向の端部の隙間から、逆勾配部７２の上流側の端部に流入する。
【０１３２】
図６に示すように、逆勾配部７２に流入した水は、逆勾配傾斜板７２１に沿って、屋根体４の複数の長尺形材４１で構成される上面４ａの傾斜方向とは、逆の傾斜により、逆勾配部７２において、屋根体４の前側から後側に向かって流れる。ここで、逆勾配部７２は、Ｖ字ガイド部７１から支柱２まで延びて形成され、支柱２に設けられた支柱側樋構成部２０に接続されている。そのため、逆勾配部７２を流れる水は、屋根体端部側樋構成部４０の導出開口４２２ａに接続された誘導部材２６を介して、支柱２と支柱カバー部材２３との間の支柱側樋構成部２０（図１３参照）に流入する。これにより、逆勾配部７２に流された水を支柱側樋構成部２０に流すことができる。よって、排水性能を一層向上できる。
【０１３３】
支柱側樋構成部２０に流入した水は、支柱側樋構成部２０を落下して、支柱２の下方において、支柱２の外部に排出される。
【０１３４】
また、三角州部分７３に降り注いだ雨水は、長尺形材４１同士の接続部分がパッキン部材４０２により止水されているため、パッキン部材４０２の上方側を、長尺形材４１同士の接続部分における長尺形材４１の縁部を伝わって水が流れる。ここで、図１８及び図１９に示すように、長尺形材４１同士の接続部分における前後方向の側面カバー部８２が配置される側の端部において、長尺形材４１には、連結端部止水部４８０（第１止水部）が設けられている。連結端部止水部４８０（第１止水部）は、パッキン部材４０２、切欠部４３７ｆ（４２７ｆ）、及び湿式シール部材４０３を備えて構成される。切欠部４３７ｆ（４２７ｆ）は、長尺形材４１同士の接続部分における前後方向の側面カバー部８２が配置される側の端部において、長手方向に切り欠かれて形成される。湿式シール部材４０３は、パッキン部材４０２を覆うように塗工されている。連結端部止水部４８０は、長尺形材４１同士の接続部分の長手方向の端部において、長尺形材４１同士の接続部分を伝わる水を端部側において止水することができる。
【０１３５】
また、パッキン部材４０２の部分や、連結端部止水部４８０（第１止水部）の部分や、屋根体側部カバー部材８の上面カバー部８１の下面に形成される止水凸部８１１（第２止水部）の部分や、上面シール部材８１４の部分を水が通過した場合であっても、屋根体４の内部には、中段樋構成部４１０と下段樋構成部４２０とが段差状に２段で連続して設けられており、二重の止水部を構成する。パッキン部材４０２（止水部）の部分や、連結端部止水部４８０（第１止水部）の部分や、屋根体側部カバー部材８の上面カバー部８１の止水凸部８１１（第２止水部）の部分や、上面シール部材８１４の部分を通過した水は、中段樋構成部４１０（第１の第３止水部）に流れる。中段樋構成部６１０（第１の第３止水部）から溢れた水は、下段樋構成部４２０（第２の第３止水部）に流れる。中段樋構成部４１０及び下段樋構成部４２０の２段の樋構造により、隣接する長尺形材４１の連結部分が延びる方向、即ち、長尺形材４１の長尺方向（長手方向）に沿って水を流して、止水できるため、屋根体４の下面４ｂから、水が落下することを一層抑制できる。
【０１３６】
中段樋構成部４１０（第１の第３止水部）と下段樋構成部４２０（第２の第３止水部）とに導入された水は、屋根体４の前後方向の端部に向けて流れる。前後方向の端部に向けて流れた水は、屋根体側部カバー部材８に導入される。
【０１３７】
屋根体側部カバー部材８に導入された水は、屋根体側部カバー部材８の下端部に形成される水受け流路部８２２（図１６参照）（第４止水部）に受け止められて、屋根体４の傾斜に沿って、基端側の支柱２側に流される。屋根体側部カバー部材８の水受け流路部８２２において支柱２側に流された水は、屋根体４の支柱２側の基端側に流れて、屋根体４の支柱２側の基端側の端部から下方に落下する。そのため、水受け流路部８２２により、長尺形材４１の長手方向に交差する方向に水を流すことで屋根体４の基端側に水を流して、屋根体４の下面４ｂの端部でない部分から、水が落下することを抑制できる。
【０１３８】
屋根体４の支柱２側の基端側の端部から下方に落下するのと同時に、水受け流路部８２２において支柱２側に流された水の一部は、屋根体４の支柱２側の基端側の端部から、屋根体４の樋構成形材４２の基端側の下端部において下方に突出して設けられる水切りフィン４２５（図１３及び図１６参照）に伝わり、屋根体４の樋構成形材４２の基端側の端部において、水切りフィン４２５を介して下方に落下する。水切りフィン４２５から水を落下させることで、屋根体４の下面４ｂ側に水が回り込むことを抑制できる。これにより、屋根体４の下面４ｂの端部でない部分から、水が落下することを抑制できる。
【０１３９】
以上説明した本実施形態のカーポート１によれば、以下のような効果を奏する。
本実施形態のカーポート１は、支柱２と、支柱２に接続される梁３と、梁３に接続される屋根体４であって、梁３が延びる方向に交差する方向に延びると共に梁３が延びる方向に並んで連設される複数の長尺形材４１を有し、上面４ａが平面状に形成され、長尺形材４１の長手方向の一方側から他方側に向かうに従って下るように傾斜する屋根体４と、屋根体４の傾斜方向の下流側に配置されるＶ字ガイド部７１と、屋根体４における長尺形材４１が並ぶ方向の端部側に配置される屋根体端部側樋構成部４０と、を備える。そのため、Ｖ字ガイド部７１及び屋根体端部側樋構成部４０を備えることにより、排水性能を向上できる。また、複数の長尺形材４１が並んで連設されるため、屋根体４の下面４ｂを平面状に形成できることから、意匠性を向上できる。
【０１４０】
また、本実施形態においては、Ｖ字ガイド部７１は、平面視で、屋根体４の傾斜方向の下流側に向かうに従って梁３が延びる方向の中央側から両端部側に向かうように傾斜する。そのため、Ｖ字ガイド部７１にガイドされた水は、屋根体端部側樋構成部４０に導かれる。これにより、排水性能を一層向上できる。
【０１４１】
また、本実施形態においては、屋根体４は、梁３の下方において梁３に吊られて配置され、梁３と屋根体４との間に形成され長尺形材４１の長手方向に貫通する複数の切り欠き開口５４を備える。そのため、屋根体４を流通する水や水に流される汚れ（例えば、落ち葉など）を複数の切り欠き開口５４に通過させて、屋根体４の傾斜方向における上流側から下流側に向けて流すことができる。これにより、排水性能を向上できる。
【０１４２】
また、本実施形態においては、屋根体端部側樋構成部４０は、長尺形材４１と並列に配置され、屋根体端部側樋構成部４０は、屋根体４の傾斜方向と逆方向に傾斜する逆勾配部７２を有する。これにより、Ｖ字ガイド部７１を流通された水を、屋根体端部側樋構成部４０の逆勾配部７２に流すことで、水を排水できるため、排水性能を一層向上できる。
【０１４３】
また、本実施形態においては、屋根体端部側樋構成部４０は、Ｖ字ガイド部７１から支柱２まで延びて形成され、支柱２に設けられた支柱側樋構成部２０に接続されている。これにより、逆勾配部７２に流された水を支柱側樋構成部２０に流すことができる。これにより、排水性能を一層向上できる。
【０１４４】
また、本実施形態においては、屋根体４は、梁３が延びる方向の中央から両端部に向かうに従って下るように傾斜する。そのため、屋根体４に流された水は、梁３が延びる方向の中央から両端部に向かうように流されて、屋根体端部側樋構成部４０に流入する。これにより、排水性能を一層向上できる。
【０１４５】
［第２実施形態］
次に、本発明の第２実施形態について説明する。図２０は、本発明の第２実施形態におけるカーポート１であって、屋根体４の傾斜方向の下流側の端部において下部に配置される水受け流路部８３の構成を示す斜視図である。図２１は、本発明の第２実施形態におけるカーポート１であって、屋根体４の傾斜方向の下流側の端部において下部に配置される水受け流路部８３の構成を示す断面図である。第２実施形態は、第１実施形態の屋根体側部カバー部材８の下端部の水受け流路部８２２とは異なる水受け流路部８３を設けた点において、第１実施形態と異なる。第２実施形態の説明にあたって、第１実施形態の構成と同一の構成については同一符号を付し、その説明を省略もしくは簡略化する。
【０１４６】
第２実施形態においては、屋根体側部カバー部材８は、図２０及び図２１に示すように、上面カバー部８１と、側面カバー部８２と、水受け流路部８３（水受け部）と、を有する。
【０１４７】
上面カバー部８１は、屋根体４の長尺形材４１の上面に沿って配置される。
側面カバー部８２は、屋根体４の傾斜方向の下流側の端部において、屋根体４の長尺形材４１の端部の側面に沿って配置される。
【０１４８】
水受け流路部８３は、側面カバー部８２の下端において、屋根体４の傾斜方向の下流側の端部の下部に配置される。水受け流路部８３は、水受け本体部８３１と、一対の端部カバー部８３２と、を有する。
【０１４９】
水受け本体部８３１は、屋根体４の左右方向に延びて形成され、上方側が開放するＵ字形状に形成される。第２実施形態の水受け本体部８３１は、第１実施形態の水受け流路部８２２よりも、水が溜まる深さが深いカップ状に形成される。水受け本体部８３１は、長尺形材４１の連結部分から漏れた水や結露水を、屋根体４の傾斜方向の下流側の端部の下部において受け止める。
【０１５０】
端部カバー部８３２は、水受け本体部８３１の左右方向の端部に配置される。端部カバー部８３２は、外部と連通する端部カバー開口部８３２ａを有する。端部カバー開口部８３２ａからは、水受け本体部８３１に受け止められた水が溢れて、外部に排出される。
【０１５１】
第２実施形態によれば、水受け流路部８３は、屋根体４の傾斜方向の下流側の端部の下部に配置される。そのため、長尺形材４１の連結部分から漏れた水や結露水を、屋根体４の傾斜方向の下流側の端部の下部において受け止めて、屋根体４の左右方向の端部から外部に排出することができる。これにより、排水性能を一層向上できる。
【０１５２】
［第３実施形態］
次に、本発明の第３実施形態について説明する。図２２は、本発明の第３実施形態におけるカーポート１であって、連結部材５に複数の開口穴５６１が形成された場合を示す斜視図である。第３実施形態は、第１実施形態における連結部材５に設けられた複数の切り欠き開口５４に代えて、連結部材５Ａに複数の開口穴５６１を設けた点において、第１実施形態と異なる。第３実施形態の説明にあたって、第１実施形態の構成と同一の構成については同一符号を付し、その説明を省略もしくは簡略化する。
【０１５３】
第３実施形態の連結部材５Ａは、図２２に示すように、屋根体４の左右方向に延びる垂直延在板５６と、底面延在板５７と、引っ掛け部分５３（図９参照）と、を有する。
垂直延在板５６及び底面延在板５７は、屋根体４の左右方向に延びる。
垂直延在板５６は、上端部が引っ掛け部分５３の下端部に接続され、下端部が底面延在板５７における梁３（２つの梁３のうちの連結部材５が接続される側の梁３）側の端部に接続される。
【０１５４】
垂直延在板５６には、複数の開口穴５６１（貫通部、開口部）が形成される。複数の開口穴５６１は、上下方向における梁３と屋根体４との間に配置され、長尺形材４１の長手方向に貫通する。複数の開口穴５６１は、水平方向から見た場合に、長方形状に形成される。開口穴５６１の下端辺は、屋根体４の上面４ａから僅かに離間した位置に配置され、屋根体４の上面４ａに沿って延びる。複数の開口穴５６１は、屋根体４の左右方向に並んで配置される。
【０１５５】
複数の開口穴５６１には、屋根体４の上面４ａを流れる水が上流側から下流側に流れる。切り欠き開口５４の水平方向に開口する部分は、屋根体４を流通する水や水に流される汚れ（例えば、落ち葉など）を通過させて、屋根体４の前後方向において、水や水に流される汚れを、上流側から下流側に向けて流す。
底面延在板５７は、複数のネジ部材５７１により、屋根体４の上面４ａに固定される。
【０１５６】
第３実施形態によれば、連結部材５は、複数の開口穴５６１を有する。そのため、第１実施形態における連結部材５に複数の切り欠き開口５４を設けた場合と同様に、屋根体４を流通する水や水に流される汚れ（例えば、落ち葉など）を複数の開口穴５６１に通過させて、屋根体４の傾斜方向における上流側から下流側に向けて流すことができる。これにより、排水性能を向上できる。
【０１５７】
［第４実施形態］
次に、本発明の第４実施形態について説明する。図２３は、本発明の第４実施形態におけるカーポート１Ａであって、屋根体４の傾斜方向の下流側に屋根体下流側樋構造４５を設けると共に、屋根体４の下方に下方側樋構造４６を設けた場合を示す斜視図である。第４実施形態は、第１実施形態の屋根体端部側樋構成部４０、Ｖ字ガイド部７１及び逆勾配部７２（図４参照）を備えない点と、屋根体下流側樋構造４５及び下方側樋構造４６を備える点において、第１実施形態と異なる。第４実施形態の説明にあたって、第１実施形態の構成と同一の構成については同一符号を付し、その説明を省略もしくは簡略化する。
【０１５８】
図２３に示すように、第４実施形態においては、屋根体４は、屋根体４の上面４ａにおける左右方向の支柱２側の両端部に、第１実施形態における屋根体端部側樋構成部４０（樋構成形材４２）を備えていない。屋根体４の複数の長尺形材４１は、屋根体４の左右方向の全域に上面４ａが平面状の部材が配置される。これにより、屋根体４の上面４ａは、全域に亘って、平面状（フラット）であり、屋根体４の上面４ａを流通する水は、屋根体４の傾斜方向の下流側（前後方向の前側）に向かって流れる。
また、第４実施形態は、第１実施形態のＶ字ガイド部７１及び逆勾配部７２（図４参照）を備えずに、屋根体下流側樋構造４５と、下方側樋構造４６（端部側樋構造）と、を備える。
【０１５９】
屋根体下流側樋構造４５は、屋根体４の傾斜方向の下流側（前後方向の前側の）端部に配置され、屋根体４の左右方向の全域に亘って延びる。屋根体下流側樋構造４５は、屋根体４を構成する複数の長尺形材４１の下流側の端部の開口の下方側に配置され、上方が開放した樋形状に形成される。
【０１６０】
第４実施形態のカーポート１Ａにおいては、屋根体４における傾斜方向の下流側（前後方向の前側）の端部において、前記第１実施形態の屋根体側部カバー部材８は設けられておらず、屋根体４を構成する複数の長尺形材４１の前側の端部において長尺形材４１のホロー構造の中空部の開口が外部に露出される。更に、第４実施形態のカーポート１Ａには、前記第１実施形態における連結端部止水部４８０も設けられていない。そのため、第４実施形態のカーポート１Ａにおいては、長尺形材４１の前側の端部の開口からは、長尺形材４１の内部の中空部を流れる水が排出される。なお、第４変形形態においては、第１実施形態と同様に、屋根体４における長尺形材４１同士の連結部分には、パッキン部材４０２は設けられており、長尺形材４１同士の連結部分は止水されている。
【０１６１】
屋根体下流側樋構造４５には、屋根体４の上面４ａを流れた水と、屋根体４を構成する複数の長尺形材４１の内部から排出された水とが流入する。屋根体下流側樋構造４５の左右方向の一方側の端部の下面には、排出用開口４５ａが形成される。
【０１６２】
下方側樋構造４６は、屋根体４における長尺形材４１が並ぶ方向の端部側において、屋根体４の下方に配置される。下方側樋構造４６は、導入部４６１と、傾斜樋部４６２と、接続誘導部４６３と、を有する。
【０１６３】
導入部４６１は、筒状に形成され、前側が、上方に開放して形成され、屋根体下流側樋構造４５の左右方向の端部の下面の排出用開口４５ａに接続され、後側が、後側に開放して形成され、傾斜樋部４６２に接続される。
【０１６４】
傾斜樋部４６２は、方形筒状に形成される。傾斜樋部４６２は、一端部が導入部４６１に接続され、屋根体４の前後方向の後側に延びる。傾斜樋部４６２は、屋根体４の前側から後側に向かうに従って下るように傾斜する。傾斜樋部４６２の下流側の他端部には、接続誘導部４６３が接続される。
【０１６５】
接続誘導部４６３は、屋根体４の後側に形成される後側開口４６３ａと、屋根体４の左右方向の外側に開口する側面開口４６３ｂと、を有する。接続誘導部４６３の後側開口４６３ａは、傾斜樋部４６２の下流側の端部が接続される。接続誘導部４６３の側面開口４６３ｂは、支柱２の側面に接続される。
【０１６６】
次に、第４実施形態のカーポート１Ａにおける雨水の流れについて説明する。
図２３を参照すると、第４実施形態のカーポート４Ａにおいて、屋根体４の上面４ａに降り注いだ雨水は、屋根体４の上面４ａの傾斜に沿って、屋根体４の傾斜方向の上流側から下流側（前後方向の後側から前側）に流れる。屋根体４の上面４ａを前後方向の前側の下流側に流れる水は、屋根体４の上面４ａと梁３との間において、連結部材５の複数の切り欠き開口５４（図８参照）を通過して、屋根体４の上面４ａの傾斜方向の下流側に流れて、屋根体下流側樋構造４５に到達する。これにより、屋根体４を流通する水や水に流される汚れ（例えば、落ち葉など）を複数の切り欠き開口５４に通過させて、屋根体４の傾斜方向において、水や水に流される汚れを、上流側から下流側に向けて流すことができる。これにより、排水性能を向上できる。
【０１６７】
屋根体下流側樋構造４５には、屋根体４の上面４ａを流れた水と、屋根体４を構成する複数の長尺形材４１の内部から排出された水と、が流入する。屋根体下流側樋構造４５の左右方向の一方側の端部の下面には、排出用開口４５ａが形成される。
【０１６８】
屋根体下流側樋構造４５に流入した水は、屋根体４の左右方向の両端部側に形成される排出用開口４５ａを介して、屋根体４における長尺形材４１が並ぶ方向の端部側において、屋根体４の下方に配置される下方側樋構造４６を介して、支柱２に設けられた支柱側樋構成部２０に誘導される。支柱側樋構成部２０に流入した水は、支柱側樋構成部２０を落下して、支柱２の下方において、支柱２の外部に排出される。
【０１６９】
第４実施形態によれば、複数の長尺形材４１が並んで連設されることで屋根体４を構成しているため、屋根体４の下面４ｂを平面状に形成できることから、屋根体４を下方から見た場合の意匠性を向上できる。
また、屋根体４の傾斜方向の下流側に配置される屋根体下流側樋構造４５と、屋根体４における長尺形材４１が並ぶ方向の端部側に配置される下方側樋構造４６と、を備える。そのため、屋根体下流側樋構造４５に到達した水を、下方側樋構造４６を介して、支柱２に設けられた支柱側樋構成部２０に誘導できるため、排水性能を一層向上できる。
【０１７０】
［第４実施形態の変形形態］
次に、本発明の第４実施形態の変形形態のカーポート１Ａａについて説明する。図２４は、本発明の第４実施形態の変形形態のカーポート１Ａａであって、第４実施形態の構成に屋根体端部側樋構成部４０を更に設けた場合を示す斜視図である。
【０１７１】
図２４に示すように、第４実施形態の変形形態のカーポートＡａは、第４実施形態のカーポート１Ａの構成に加えて、第１実施形態の屋根体端部側樋構成部４０を更に備える。
屋根体端部側樋構成部４０は、屋根体４における長尺形材４１が並ぶ方向の端部側に並んで配置されると共に、下方側樋構造４６の上方に配置される。屋根体端部側樋構成部４０は、屋根体４の前後方向（傾斜方向）に延びて形成され、屋根体４の前後方向の前側（傾斜方向）の下流側端部において開口しており、屋根体下流側樋構造４５に向けて開口する。なお、屋根体端部側樋構成部４０の長手方向の途中の側面には導出開口４２２ａ（第１実施形態、図１３参照）は形成されておらず、支柱側樋構成部２０（柱材側樋構造）には接続されていない。
【０１７２】
次に、第４実施形態の変形形態のカーポート１Ａａにおける雨水の流れについて説明する。
図２４を参照すると、第４実施形態の変形形態のカーポート１Ａａにおいて、屋根体４の上面４ａに降り注いだ雨水は、屋根体４の上面４ａの傾斜に沿って、屋根体４の傾斜方向の上流側から下流側（前後方向の後側から前側）に流れる。
【０１７３】
ここで、屋根体４は、梁３が延びる方向の中央から両端部に向かうに従って下るように傾斜する。また、屋根体４は、長尺形材４１が並ぶ方向の端部側に並列に配置される屋根体端部側樋構成部４０を備える。そのため、屋根体４に流された水は、左右方向の中央から両端部に向かうように流されて、屋根体端部側樋構成部４０に流入する。屋根体端部側樋構成部４０に流入した水は、屋根体４の傾斜方向の下流側に流れて、屋根体下流側樋構造４５に到達する。
【０１７４】
屋根体下流側樋構造４５には、屋根体４の上面４ａを流れた水と、屋根体４を構成する複数の長尺形材４１の内部から排出された水と、屋根体端部側樋構成部４０を流れた水とが流入する。屋根体下流側樋構造４５の左右方向の一方側の端部の下面には、排出用開口４５ａが形成される。
【０１７５】
これにより、屋根体４を流通する水や水に流される汚れ（例えば、落ち葉など）を複数の切り欠き開口５４を通過させるのに加えて、屋根体端部側樋構成部４０の上方側に開放された部分（屋根体４の上面４ａから窪む凹部）に流通させて、屋根体４の傾斜方向において、水や水に流される汚れを、屋根体４の傾斜方向の上流側から下流側に向けて流すことができる。これにより、排水性能を向上できる。
【０１７６】
屋根体下流側樋構造４５に流入した水は、屋根体４の左右方向の両端部側に形成される排出用開口４５ａを介して、屋根体４における長尺形材４１が並ぶ方向の端部側において、屋根体４の下方に配置される下方側樋構造４６を介して、支柱２に設けられた支柱側樋構成部２０に誘導される。支柱側樋構成部２０に流入した水は、支柱側樋構成部２０を落下して、支柱２の下方において、支柱２の外部に排出される。
【０１７７】
第４実施形態の変形形態によれば、複数の長尺形材４１が並んで連設されることで屋根体４を構成しているため、屋根体４の下面４ｂを平面状に形成できることから、屋根体４を下方から見た場合の意匠性を向上できる。
また、屋根体４の傾斜方向の下流側に配置される屋根体下流側樋構造４５と、屋根体４における長尺形材４１が並ぶ方向の端部側に配置される屋根体端部側樋構成部４０及び下方側樋構造４６と、を備える。そのため、屋根体端部側樋構成部４０により屋根体４の傾斜方向において屋根体下流側樋構造４５に向けて効率よく排水できると共に、屋根体下流側樋構造４５に到達した水を、下方側樋構造４６を介して、支柱２に設けられた支柱側樋構成部２０に誘導できるため、排水性能を向上できる。
【０１７８】
以上、本発明のカーポート（屋根構造体）の好ましい一実施形態について説明したが、本発明は、上述した実施形態に制限されるものではなく、適宜変更が可能である。
例えば、前記実施形態においては、屋根体４の左右方向の勾配について、屋根体４の左右方向の中央が最も高くなり左右方向の中央から両端部に向かうに従って下るように傾斜するように構成したが、これに限定されず、屋根体４の左右方向には傾斜を形成せずに、水平に構成してもよい。
【０１７９】
また、前記実施形態においては、屋根体４と梁３と接続する連結部材５を設けて、連結部材５に複数の切り欠き開口５４を設けたが、これに限定されない。例えば、連結部材５を設けずに、長尺形材４１に屋根体４の上面４ａから窪む凹部を設けることで、梁３と屋根体４との間に、長尺形材４１の長手方向に貫通する貫通部を形成してもよいし、梁３を吊ることで屋根体４と梁との間に隙間を設けることで、梁３と屋根体４との間に、長尺形材４１の長手方向に貫通する貫通部を形成してもよい。
【０１８０】
また、前記実施形態においては、屋根体４と梁３と接続する連結部材５を設けて、連結部材５を屋根体４の左右方向に延びるように構成したが、これに限定されない。連結部材５を複数の連結片（図示せず）で構成して、複数の連結片を屋根体４の左右方向に並べて配置することで、複数の連結片により、梁３の下方に屋根体４を吊るように構成してもよい。複数の連結片を屋根体４の左右方向に離間して配置することで、複数の連結片の間には、複数の開口部（貫通部）を形成できる。
【０１８１】
また、前記第１実施形態において、屋根体４の前後方向の前側（傾斜方向の下流側）に配置される下流側樋構造を、Ｖ字状のＶ字ガイド部７１により構成したが、下流側樋構造の形状は、これに限定されない。例えば、下流側樋構造を、平面視で、屋根体４の左右方向に沿って直線状に延びる形状としてもよいし、平面視で、屋根体４の左右方向に対して傾斜する直線状に延びる形状としてもよい。
【０１８２】
また、前記実施形態においては、カーポートを、屋根体４を左右方向の両側それぞれにおいて一対の支柱２で支持する、いわゆる、両持ち構造のカーポートにより説明したが、これに限定されず、屋根体４を左右方向の一方の端部を支柱で支持する、いわゆる、片持ち構造のカーポートでもよい。
【０１８３】
ここで、本発明を片持ち構造のカーポートに適用した第１変形形態及び第２変形形態について、模式図を参照しながら説明する。第１変形形態及び第２変形形態の片持ち構造のカーポート１Ｂ，１Ｃは、本発明の適用範囲である。図２５は、第１変形形態の片持ち構造のカーポート１Ｂを示す模式図である。図２６は、第２変形形態の片持ち構造のカーポートを示す模式図である。第１変形形態の説明にあたって、第１実施形態の構成と異なる構成について主に説明し、第１実施形態の構成と同一の構成については同一符号を付し、その説明を省略もしくは簡略化する。また、第２変形形態の説明にあたって、第４実施形態の構成と異なる構成について主に説明し、第４実施形態の構成と同一の構成については同一符号を付し、その説明を省略もしくは簡略化する。
【０１８４】
図２５に示すように、第１変形形態の片持ち構造のカーポート１Ｂは、主に、第１実施形態のカーポート１（図１等参照）の両持ち構造を片持ち構造に変更した形態であり、一方側に配置される２つの支柱２と、２つの梁３と、屋根体４Ｂと、ガイド部７１Ｂ（下流側樋構造）と、屋根体端部側樋構成部４０Ｂと、屋根体端部側樋構成部４０に配置される逆勾配部７２Ｂと、を備える。２つの梁３に接続される屋根体４Ｂは、屋根体４Ｂの左右方向の片側（一方側、図２５における右側）において、屋根体４Ｂの前後方向に離間した２つの支柱２により、支持されている。
【０１８５】
屋根体４Ｂの上面４ａは、前後方向において、屋根体４Ｂの前後方向の前側に向かうに従って下るように傾斜すると共に、左右方向において、梁３の先端側から支柱２側（梁３が延びる方向の一端部側から他端部側）に向かうに従って下るように傾斜する。ガイド部７１Ｂは、屋根体４Ｂの傾斜方向の下流側（前後方向の前側）において、平面視で、屋根体４Ｂの左右方向に延びる直線状に形成される。なお、ガイド部７１Ｂが延びる方向はこれに限定されず、平面視で、屋根体４Ｂの傾斜方向の下流側（前後方向の前側）に向かうに従って梁３の先端側から支柱２側に向かうように傾斜する直線状（支柱２側が下るように傾斜する直線状）に形成することもできる。この場合に、ガイド部７１Ｂに沿って流れる屋根体４Ｂの上面４ａの水は、屋根体４Ｂの傾斜方向の下流側に向かうに従って屋根体端部側樋構成部４０Ｂ側に誘導されるため、屋根体端部側樋構成部４０Ｂ側に流れやすい。
逆勾配部７２Ｂは、第１実施形態の逆勾配部７２Ｂと同様の構成である。
【０１８６】
また、図２６に示すように、第２変形形態の片持ち構造のカーポート１Ｃは、主に、第４実施形態のカーポート１Ａ（図２３参照）の両持ち構造を片持ち構造に変更した形態であり、一方側に配置される２つの支柱２と、２つの梁３と、屋根体４Ｃと、屋根体下流側樋構造４５Ｃと、下方側樋構造４６Ｃと、を備える。２つの梁３に接続される屋根体４Ｃは、屋根体４Ｃの左右方向の片側（一方側、図２６における右側）において、屋根体４Ｃの前後方向に離間した２つの支柱２により、支持されている。
【０１８７】
屋根体４Ｃの上面４ａは、前後方向において、屋根体４Ｃの前後方向の前側に向かうに従って下るように傾斜する。また、屋根体４Ｃは、左右方向において、屋根体４Ｃの上面４ａは水平に形成される。
屋根体下流側樋構造４５Ｃ及び下方側樋構造４６Ｃは、第４実施形態の屋根体下流側樋構造４５及び下方側樋構造４６と同様の構成である。
【０１８８】
また、前記実施形態では、屋根体４を梁３に吊られる構造としたが、これに限定されず、屋根体４を梁３の上方に配置する構造でもよい。
【符号の説明】
【０１８９】
１  カーポート（屋根構造体）
２  支柱（柱材）
３  梁
４  屋根体
４ａ  上面
２０  支柱側樋構成部（柱材側樋構造）
４０  屋根体端部側樋構成部（端部側樋構成部）
４１  長尺形材（長尺材）
４６  下方側樋構造（端部側樋構造）
５４  切り欠き開口（開口部、貫通部）
７１  Ｖ字ガイド部（下流側樋構造）
７２  逆勾配部
８３  水受け流路部（水受け部）
５６１  開口穴（開口部、貫通部）
【図１】
2019027027.tif 000003
【図２】
2019027027.tif 000004
【図３】
2019027027.tif 000005
【図４】
2019027027.tif 000006
【図５】
2019027027.tif 000007
【図６】
2019027027.tif 000008
【図７】
2019027027.tif 000009
【図８】
2019027027.tif 000010
【図９】
2019027027.tif 000011
【図１０】
2019027027.tif 000012
【図１１】
2019027027.tif 000013
【図１２】
2019027027.tif 000014
【図１３】
2019027027.tif 000015
【図１４】
2019027027.tif 000016
【図１５】
2019027027.tif 000017
【図１６】
2019027027.tif 000018
【図１７】
2019027027.tif 000019
【図１８】
2019027027.tif 000020
【図１９】
2019027027.tif 000021
【図２０】
2019027027.tif 000022
【図２１】
2019027027.tif 000023
【図２２】
2019027027.tif 000024
【図２３】
2019027027.tif 000025
【図２４】
2019027027.tif 000026
【図２５】
2019027027.tif 000027
【図２６】
2019027027.tif 000028